(57)【特許請求の範囲】
【請求項１】
少なくとも第１の無線および第２の無線を有するモバイルデバイスのためのワイヤレス通信方法であって、
第１の無線技術に基づいて前記第１の無線を使用して通信することと、
前記第１の無線技術とは異なる第２の無線技術に基づく前記第２の無線に関して前記第１の無線が、前記第１の無線の第１の無線動作を支援するための前記第２の無線の利用可能性を決定すること、ここにおいて、前記第２の無線は、前記第２の無線が第１のタイプのタスクを実行しているときに利用可能であると決定され、前記第２の無線は、前記第２の無線が第２のタイプのタスクを実行しているときに利用可能でないと決定され、前記第２の無線は、前記第１の無線を支援するために前記第１のタイプのタスクを実行するのを中断するように構成される、と、
前記第２の無線の前記利用可能性に基づいて第１の無線動作を実行するように前記第２の無線を構成することと、
前記第２の無線の前記利用可能性に基づいて前記第２の無線で前記第１の無線動作の少なくとも一部分を実行することと
を備える、ワイヤレス通信方法。
【請求項２】
前記第１の無線技術は、ワイヤレスワイドエリアネットワーク（ＷＷＡＮ）技術であり、
前記第２の無線技術は、ワイヤレスローカルエリアネットワーク（ＷＬＡＮ）技術である、
請求項１に記載の方法。
【請求項３】
前記第２の無線で前記第１の無線動作の少なくとも一部を前記実行することは、
前記第２の無線で、前記第１の無線動作に関する信号を受信すること、前記信号は、前記第１の無線技術に基づいて送信される、と、
前記受信された信号を処理することと
を備える、請求項１に記載の方法。
【請求項４】
前記受信された信号は、前記第２の無線によって、前記第１の無線によって、並びに、少なくとも部分的に前記第１の無線および前記第２の無線によって、のうちの１つで処理される、
請求項３に記載の方法。
【請求項５】
前記第１の無線動作は、前記第１の無線内の信号に影響を及ぼす干渉の測定を備える、
請求項１に記載の方法。
【請求項６】
前記第１の無線動作は、近隣セルの周波数間測定、周波数内測定、およびＲＡＴ間測定のうちの少なくとも１つを備える、
請求項１に記載の方法。
【請求項７】
前記モバイルデバイスは、前記第１の無線に関連する少なくとも２つの加入者アイデンティティモジュール（ＳＩＭ）を備え、
前記第１の無線動作は、前記少なくとも２つのＳＩＭのうちの１つに関連するページおよびデータ獲得および処理を備える、
請求項１に記載の方法。
【請求項８】
前記第１の無線は、少なくとも第１のアンテナを備え、
前記第２の無線は、少なくともアンテナを備え、
前記第２の無線で前記第１の無線動作の少なくとも一部を前記実行することは、
前記第２の無線の前記アンテナで、前記第１の無線動作に関する信号を受信すること、前記信号は、前記第１の無線技術に基づいて送信される、と、
前記第１の無線の前記第１のアンテナによって受信された信号と一緒に、ダイバーシティ信号として前記受信された信号を処理することと
を備える、請求項１に記載の方法。
【請求項９】
前記受信された信号は、前記第１の無線によって処理される、
請求項８に記載の方法。
【請求項１０】
前記第１の無線動作は、基準信号時間差（ＲＳＴＤ）測定であるか、スモールセル識別のためのビーコン検出を備えるか、ドライブテストの最小化（ＭＤＴ）測定であるか、または、速度推定測定である、
請求項１に記載の方法。
【請求項１１】
前記決定することは、
前記第１の無線が、前記第１の無線の前記第１の無線動作を支援するための前記第２の無線の前記利用可能性を要求することと、
前記要求することに基づいて前記第２の無線の前記利用可能性を受信することと
を備える、請求項１に記載の方法。
【請求項１２】
前記決定することは、前記第１の無線の前記第１の無線動作を支援するための前記第２の無線の前記利用可能性を受信することを備える、
請求項１に記載の方法。
【請求項１３】
前記第２の無線は、前記第２の無線がスリープモードまたはアイドルモードにあるときに利用可能であると決定される、
請求項１に記載の方法。
【請求項１４】
前記第１の無線動作は、複数の加入者アイデンティティモジュール（ＳＩＭ）ページモニタリングおよびページ／データ処理、より高次のダイバーシティデータ獲得と処理、干渉測定と管理、Ｅ−ＵＴＲＡＮセルグローバル識別子（ＥＣＧＩ）決定と報告、基準信号時間差（ＲＳＴＤ）測定、スモールセル識別のためのビーコン検出、ドライブテストの最小化（ＭＤＴ）測定、および速度推定測定のうちの少なくとも１つを備える、
請求項１に記載の方法。
【請求項１５】
モバイルデバイスにおいて構成されるワイヤレス通信システムであって、
第１の無線技術に基づいて通信するための第１の無線と、
前記第１の無線技術とは異なる第２の無線技術に基づいて構成された第２の無線と
を備え、前記第１の無線は、前記第２の無線に関して、前記第１の無線の第１の無線動作を支援するための前記第２の無線の利用可能性を決定するように構成され、ここにおいて、前記第２の無線は、前記第２の無線が第１のタイプのタスクを実行しているときに利用可能であると決定され、前記第２の無線は、前記第２の無線が第２のタイプのタスクを実行しているときに利用可能でないと決定され、前記第２の無線は、前記第１の無線を支援するために前記第１のタイプのタスクを実行するのを中断するように構成され、前記第１の無線は、前記第２の無線の前記利用可能性に基づいて第１の無線動作を実行するように前記第２の無線を構成するように構成され、前記第２の無線は、前記第２の無線の前記利用可能性に基づいて第１の無線動作の少なくとも一部分を実行するように構成される、
ワイヤレス通信システム。
【発明の詳細な説明】
【関連特許出願の相互参照】
【０００１】
[0001]本出願は、その全体が参照により本明細書に組み込まれ、２０１２年１１月２７日に出願された米国特許出願１３／６８６，８９６号の一部継続出願である、２０１４年１月７日に出願された「METHODS AND APPARATUS FOR COOPERATING BETWEEN WIRELESS WIDE AREA NETWORK RADIOS AND WIRELESS LOCAL AREA NETWORKS RADIOS」と題する米国特許出願第１４／１４９，５４４号の利益を主張する。
【技術分野】
【０００２】
[0002]本開示は、概して、通信システムに関し、より具体的には、ワイヤレスワイドエリアネットワーク無線とワイヤレスローカルエリアネットワーク無線との間で協働するための通信システムに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一キャリア周波数分割多元接続（ＳＣ−ＦＤＭＡ）システムと、時分割同期符号分割多元接続（ＴＤ−ＳＣＤＭＡ）システムとを含む。
【０００４】
[0004]これらの多元接続技術は、複数の異なるワイヤレスデバイスが都市レベル、国家レベル、地域レベル、さらにはグローバルレベルで通信するのを可能にする共通プロトコルを提供するために様々な電気通信規格において採用されている。新生の電気通信規格の一例は、ロングタームエボリューション（ＬＴＥ（登録商標）：Long Term Evolution）である。ＬＴＥは、第３世代パートナーシッププロジェクト（３ＧＰＰ（登録商標））によって公表されたユニバーサルモバイルテレコミュニケーションシステム（ＵＭＴＳ：Universal Mobile Telecommunications System）モバイル規格の拡張のセットである。これらは、スペクトル効率を改善することによってモバイルブロードバンドインターネットアクセスをより良くサポートし、コストを削減し、サービスを向上させ、新しいスペクトルを利用し、ダウンリンク（ＤＬ）でのＯＦＤＭＡ、アップリンク（ＵＬ）でのＳＣ−ＦＤＭＡ、および多入力多出力（ＭＩＭＯ）アンテナ技術を使用するその他のオープン規格とより良く統合する。しかしながら、モバイルブロードバンドアクセスに対する需要が増大し続けるのに応じて、ＬＴＥ技術のさらなる改良の必要性が存在する。好ましくは、これらの改良は、他の多元接続技術と、これらの技術を採用する電気通信規格とに適用可能であるべきである。
【０００５】
[0005]多くのオペレータは、カバレッジおよび容量の両方を提供するためにそれらのネットワーク上で多くのそして異なるタイプのセル（例えばスモールセル）を配備することを計画中である。ネットワーク内でスモールセルの数を増加させることは、モバイルデバイスによって行われる測定の回数をかなり増加させることもたらすだろう。モバイルデバイス上の限られたリソースに起因して、測定数の増加は、低下したサービス品質（ＱｏＳ）、プアモビリティ性能、等につながることになるだろう。さらに、あるアプリケーションに対して、ネットワークの性能はプアになる、または、既存のワイヤレスワイドネットワークを使用している間に通信のために使用するのが不可能になり得る。
【発明の概要】
【０００６】
[0006]ワイヤレス通信方法は、第１の無線技術に基づいて第１の無線を用いて通信することと、第１の無線動作に対して第１の無線を支援するために第１の無線技術と異なる第２の無線技術に基づいて第２の無線を構成することと、第２の無線において第１の無線動作の少なくとも一部分を実行することとを含むがそれらのうちの１つまたは任意の組み合わせに限定されない。第１の無線動作は、複数の加入者アイデンティティモジュール（ＳＩＭ）ページモニタリングとページ／データ処理、より高次のダイバーシティデータ獲得と処理、干渉測定と管理、Ｅ−ＵＴＲＡＮセルグローバル識別子（ＥＣＧＩ）決定と報告、基準信号時間差（ＲＳＴＤ）測定、スモールセル識別のためのビーコン検出、ドライブテスト最小化（ＭＤＴ）測定、および速度推定測定のうちの少なくとも１つを含む。
【０００７】
[0007]ワイヤレス通信システムは、第１の無線と、第２の無線とを含む。第１の無線は、第１の無線技術に基づいて通信する。第２の無線は、第１の無線動作に対して第１の無線を支援するために、第１の無線技術と異なる第２の無線技術に基づいて構成される。第２の無線は、第１の無線動作の少なくとも一部分を行うように構成される。
【０００８】
[0008]少なくとも第１の無線および第２の無線を有するモバイルデバイスのためのワイヤレス通信の方法は、第２の無線の利用可能性を決定することと、第２の無線が、第２の無線の利用可能性に基づいて、もしそうでなければ第１の無線によって実行される第１の無線動作の少なくとも一部分を実行することとを含むが、それらのうちの１つまたは任意の組み合わせに限定されない。
【０００９】
[0009]ワイヤレス通信の方法は、第１の無線技術に基づいて第１の無線を用いて通信することと、第１の無線動作に対して第１の動作を支援するために第１の無線技術と異なる第２の無線技術に基づいて第２の無線を構成することと、第２の無線において、第１の無線動作に関連する信号を受信すること、信号は、第１の無線技術に基づいて送信される、と、受信された信号を処理することとを含むが、それらのうちの１つまたは任意の組み合わせに限定されない。第１の無線動作は、複数の加入者アイデンティティモジュール（ＳＩＭ）ページモニタリングとページ／データ処理、より高次のダイバーシティデータ獲得と処理、干渉測定と管理、ＥＣＧＩ決定と報告、基準信号時間差（ＲＳＴＤ）測定、スモールセル識別のためのビーコン検出、ドライブテストの最小化（ＭＤＴ）測定、および速度推定測定のうちの少なくとも１つを備える。
【図面の簡単な説明】
【００１０】
【図１】図１は、ネットワークアーキテクチャの例を示した概略図である。
【図２】図２は、アクセスネットワークの例を示した概略図である。
【図３】図３は、ＬＴＥにおけるＤＬフレーム構造の例を示した概略図である。
【図４】図４は、ＬＴＥにおけるＵＬフレーム構造の例を示した概略図である。
【図５】図５は、ダウンリンク基準信号構造の例示である。
【図６】図６は、従来のハンドオーバープロセスの測定フェーズ中に使用されるメッセージを示した概略図である。
【図７】図７は、ＵＥとそのサービングセルとの間での通信におけるギャップを回避するハンドオーバープロセスの測定フェーズの実装を示した概略図である。
【図８】図８は、ＵＥの第１の無線と第２の無線との間での通信を示した概略図である。
【図９】図９は、ワイヤレス通信方法のフローチャートである。
【図１０】図１０は、例示的な装置内の異なるモジュール／手段／コンポーネント間でのデータフローを示した概念的なデータフロー図である
【図１１】図１１は、処理システムを採用する装置のためのハードウェア実装の例を示した概略図である。
【図１２】図１２は、本開示の様々な実施形態による第１の無線と第２の無線との間で協働するための方法のフローチャートである。
【図１３Ａ】図１３Ａは、測定ギャップの概略図である。
【図１３Ｂ】図１３Ｂは、本開示の様々な実施形態による測定ギャップの概略図である。
【図１３Ｃ】図１３Ｃは、本開示の様々な実施形態による測定ギャップの概略図である。
【図１４】図１４は、本開示の様々な実施形態によるシステムのブロック図である。
【図１５】図１５は、例示的な装置内の異なるモジュール／手段／コンポーネント間でのデータフローを示した概念的なデータフロー図である。
【発明を実施するための形態】
【００１１】
[0026]様々な実施形態では、モバイルデバイスの第２の無線、例えば、ワイヤレスローカルエリアネットワーク（ＷＬＡＮ）無線、は、ワイヤレスワイドエリアネットワーク（ＷＷＡＮ）動作（アプリケーションとも呼ばれる）でＷＷＡＮ無線を支援するために、第１の無線、例えば、ＷＷＡＮ無線、と連繋することができる。特に、モバイルデバイスのＷＷＡＮおよびＷＬＡＮ無線は、ＷＷＡＮ信号の測定、推定、データ獲得、検出、および復号を行うことを含む様々なＷＷＡＮ動作におけるＷＷＡＮ無線を支援するために協働し得る。ＷＷＡＮ動作は、近隣セルの周波数内、周波数間、ＲＡＴ間測定と、複数の加入者アイデンティティモジュール（ＳＩＭ）ページモニタリングおよびページ／データ処理と、より高次数のダイバーシティのデータ獲得および処理と、干渉の回避、連繋および緩和と、システム情報検出および復号と、基準信号時間差（ＲＳＴＤ）測定と、スモールセル識別のためのビーコン検出と、ドライブテストの最小化（ＭＤＴ）測定と、速度推定測定とを含み得る。結果として生じる利益の一部は、ユーザ機器（ＵＥ）スループットおよびシステムアグリゲートスループットを増大させること、ＵＥサービス品質（ＱｏＳ）（例えば、音声品質）を向上させること、モビリティ性能を向上させること（例えば、ハンドオーバー成功率を増大させること）、複雑なネットワーク管理の必要性を低減させるまたは除去すること、複数のＳＩＭモバイルデバイス上で同時のページおよびデータの受信を可能にすること、および／または同等のものを含む。
【００１２】
[0027]添付される図面と関連して以下において説明する詳細な説明は、様々な構成の説明として意図され、本明細書で説明される概念が実施され得る唯一の構成を表すことは意図されていない。詳細な説明は、様々な概念の完全な理解を提供するための特定の具体的な詳細を含む。しかしながら、これらの概念は、これらの具体的な詳細なしに実施され得ることが当業者には明らであろう。いくつかの例では、周知の構造およびコンポーネントは、そのような概念を不明瞭にすることを避けるためにブロック図形式で示される。
【００１３】
[0028]次に、電気通信システムのいくつかの態様が様々な装置および方法に関して提示される。これらの装置および方法は、以下の詳細な説明において説明され、（「要素」と総称される）様々なブロック、モジュール、コンポーネント、回路、ステップ、プロセス、アルゴリズム、等によって、添付の図面において示される。これらの要素は、電子ハードウェア、コンピュータソフトウェア、またはそれらの組み合わせを用いて実装することができる。そのような要素がハードウェアまたはソフトウェアとして実装されるかは、特定のアプリケーションおよび全体的なシステムに対して課せられた設計制約に依存する。
【００１４】
[0029]例として、要素、または要素の任意の一部、または要素の任意の組み合わせは、１つまたは複数のプロセッサを含む「処理システム」を用いて実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲーテッド論理、ディスクリートハードウェア回路、および本開示全体を通じて説明される様々な機能を実行するように構成された他の適切なハードウェアを含む。処理システム内の１つまたは複数のプロセッサは、ソフトウェアを実行することができる。ソフトウェアは、ソフトウェア、ファームウェア、ミドルウェア、マイクロコード、ハードウェア記述言語、またはその他のいずれとして呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義で解釈されたい。
【００１５】
[0030]従って、１つまたは複数の例示的な実施形態では、説明される機能は、ハードウェア、ソフトウェア、ファームウェア、またはそれらの任意の組み合わせ内に実装され得る。ソフトウェア内に実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされることができる任意の利用可能な媒体であり得る。例として、および限定することなしに、そのようなコンピュータ可読媒体は、ＲＡＭ、ＲＯＭ、ＥＥＰＲＯＭ（登録商標）、ＣＤ−ＲＯＭ、または他の光ディスクストレージ、磁気ディスクストレージ、または他の磁気ストレージデバイス、あるいは所望のプログラムコードを、命令またはデータ構造の形態で搬送または記憶するために使用され、コンピュータによってアクセスされることができる任意の他の媒体を備えることができる。本明細書で使用されるディスク（disk）およびディスク（disc）は、コンパクトディスク（disc）（ＣＤ）と、レーザーディスク（登録商標）（disc）と、光ディスク（disc）と、デジタルバーサタイルディスク（disc）（ＤＶＤ）と、フロッピー（登録商標）ディスク（disk）とを含み、ディスク（disk）は通常、磁気的にデータを再生し、ディスク（disc）は、レーザで光学的にデータを再生する。上記の組合せも、コンピュータ可読媒体の範囲内に含められるべきである。
【００１６】
[0031]図１は、ＬＴＥネットワークアーキテクチャ１００を例示した図である。ＬＴＥネットワークアーキテクチャ１００は、発展型パケットシステム（ＥＰＳ）１００と呼ばれ得る。ＥＰＳ１００は、１つまたは複数のユーザ装置（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、オペレータＩＰサービス１２２とを含み得る。ＥＰＳは、他のアクセスネットワークと相互接続することができるが、簡単のために、それらのエンティティ／インタフェースは示されていない。示されるように、ＥＰＳは、パケット交換サービスを提供するが、当業者が容易に認識するように、本開示全体を通じて提示される様々な概念は、回線交換サービスを提供するネットワークに拡張され得る。
【００１７】
[0032]  Ｅ−ＵＴＲＡＮは、発展型ｅＮＢ（ｅＮＢ）１０６と、他のｅＮＢ１０８とを含む。ｅＮＢ１０６は、ＵＥ１２０に対してユーザプレーン制御プロトコル終端および制御プレーンプロトコル終端を提供する。ｅＮＢ１０６は、バックホール（例えば、Ｘ２インタフェース）を介して他のｅＮＢ１０８に接続され得る。ｅＮＢ１０６はまた、基地局、ベーストランシーバ局、無線基地局、無線トランシーバ、トランシーバ機能、基本サービスセット（ＢＳＳ）、拡張サービスセット（ＥＳＳ）、または何らからの好適な用語でと呼ばれ得る。ｅＮＢ１０６は、ＵＥ１０２のためにＥＰＣ１１０にアクセスポイントを提供する。ＵＥ１０２の例は、携帯電話、スマートフォン、セッション開始プロトコル（ＳＩＰ）フォン、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲームコンソール、または任意の他の同様の機能デバイスを含む。ＵＥ１０２はまた、当業者によって、移動局、加入者局、モバイルユニット、加入者ユニット、ワイヤレスユニット、ワイヤレスデバイス、リモートユニット、モバイルデバイス、ワイヤレスデバイス、ワイヤレス通信デバイス、リモートデバイス、モバイル加入者局、アクセス端末、モバイル端末、ワイヤレス端末、遠隔端末、ハンドセット、ユーザエージェント、モバイルクライアント、クライアント、または何らかの他好適な用語で呼ばれ得る。
【００１８】
[0033]ｅＮＢ１０６は、Ｓ１インタフェースによってＥＰＣ１１０に接続される。ＥＰＣ１１０は、モビリティ管理エンティティ（ＭＭＥ）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２は、ベアラおよび接続管理を提供する。すべてのユーザＩＰパケットがサービングゲートウェイ１１６を通じて転送され、サービングゲートウェイ１１６自体は、ＰＤＮゲートウェイ１１８に接続される。ＰＤＮゲートウェイ１１８は、ＵＥ  ＩＰアドレス割り当ておよび他の機能を提供する。ＰＤＮゲートウェイ１１８は、オペレータのＩＰサービス１２２に接続される。オペレータのＩＰサービス１２２は、インターネットと、イントラネットと、ＩＰマルチメディアサブシステム（ＩＭＳ）と、ＰＳストリーミングサービス（ＰＳＳ）とを含むことができる。
[0034]図２は、ＬＴＥネットワークアーキテクチャにおけるアクセスネットワーク２００の例を示す図である。この例では、アクセスネットワーク２００は、幾つかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であることができる。マクロｅＮＢ２０４は各々、それぞれのセル２０２に割り当てられ、セル２０２内のすべてのＵＥ２０６のためにＥＰＣ１１０にアクセスポイントを提供するように構成される。アクセスネットワーク２００のこの例では集中コントローラは存在しないが、代替構成では、集中コントローラが使用され得る。ｅＮＢ２０４は、無線ベアラ制御と、アドミッション制御と、モビリティ制御と、スケジューリングと、セキュリティと、サービングゲートウェイ１１６への接続性とを含む、すべての無線関連機能を担う。
【００１９】
[0035]アクセスネットワーク２００によって採用される変調および多元接続方式は、配備されている特定の電気通信規格に依存して異なり得る。ＬＴＥでは、周波数分割複信（ＦＤＤ）および時分割複信（ＴＤＤ）の両方をサポートするために、ＯＦＤＭがダウンリンク（ＤＬ）上で使用され、ＳＣ−ＦＤＭＡがアップリンク（ＵＬ）上で使用される。当業者なら以下の詳細な説明から容易に認識するように、本明細書で提示される様々な概念はＬＴＥ適用例に好適である。しかしながら、これらの概念は、他の変調技法および多元接続技法を採用する他の電気通信規格に容易に拡張され得る。例として、これらの概念は、エボリューション−データオプティテマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインタフェース規格であり、移動局にブロードバンドインターネットアクセスを提供するためにＣＤＭＡを採用する。これらの概念は、広帯域ＣＤＭＡ（Ｗ−ＣＤＭＡ（登録商標））およびＣＤＭＡの他の変形、例えば、ＴＤ−ＳＣＤＭＡ、を採用するユニバーサルテレストリアルラジオアクセス（ＵＴＲＡ）、ＴＤＭＡを採用するグローバルシステムフォーモバイルコミュニケーション（ＧＳＭ（登録商標））、および、ＯＦＤＭＡを採用する、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用されている実際のワイヤレス通信規格および多元接続技術は、特定の適用例およびシステムに課せれた全体的な設計制約に依存することになる。
【００２０】
[0036]ｅＮＢ２０４は、ＭＩＭＯ技術をサポートする複数のアンテナを有し得る。ＭＩＭＯ技術の使用は、ｅＮＢ２０４が空間多重化、ビームフォーミング、および送信ダイバーシティをサポートするために空間領域を利用するのを可能にする。空間多重化は、データの異なるストリームを同じ周波数上で同時に送信するために使用され得る。データストリームは、データレートを増大させるために単一のＵＥ２０６に送信されるか、または全体的なシステム容量を増大させるために複数のＵＥ２０６に送信され得る。これは、各データストリームを空間的にプリコードし（すなわち、振幅および位相のスケーリングを適用し）、次に、ＤＬ上で複数の送信アンテナを通じて各々の空間的にプリコードされたストリームを送信することによって達成される。空間的にプリコードされたデータストリームは、異なる空間シグナチャとともにＵＥ２０６に到達し、これにより、ＵＥ２０６の各々がそのＵＥ２０６に宛てられた１つまたは複数のデータストリームを復元するのを可能にする。ＵＬ上で、各ＵＥ２０６は、空間的にプリコードされたデータストリームを送信し、これにより、ｅＮＢが空間的にプリコードされた各データストリームのソースを識別するのを可能にする。
【００２１】
[0037]図３は、ＬＴＥにおけるＤＬフレーム構造の例を示した図３００である。フレーム（１０ｍｓ）は、等しいサイズの１０個のサブフレームに分割され得る。各サブフレームは、２つの連続するタイムスロットを含み得る。２つのタイムスロットを表現するためにリソースグリッドが使用され得、各タイムスロットは、リソースブロックを含む。リソースグリッドは、複数のリソース要素に分割される。ＬＴＥでは、リソースブロックは、周波数領域内に１２個の連続するサブキャリアを含み、各ＯＦＤＭシンボル内のノーマルサイクリックプリフィックスについて、時間領域内に７個の連続するＯＦＤＭシンボル、または８４個のリソース要素を含む。拡張サイクリックプリフィックスについて、リソースブロックは、時間領域内に６個の連続するＯＦＤＭシンボルを含み、７２個のリソース要素を有する。Ｒ３０２、３０４として示されるリソース要素のいくつかは、ＤＬ基準信号（ＤＬ−ＲＳ）を含む。ＤＬ−ＲＳは、セル固有ＲＳ（ＣＲＳ）（共通ＲＳとも呼ばれる）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロックのみで送信される。各リソース要素によって搬送されるビット数は、変調方式に依存する。したがって、ＵＥが受信するリソースブロックが多いほど、また変調方式が高いほど、ＵＥのためのデータレートは高くなる。
【００２２】
[0038]図４は、ＬＴＥにおけるＵＬフレーム構造の例を示す図４００である。ＵＬのための利用可能なリソースブロックは、データセクションおよび制御セクションに分割することができる。制御セクションは、システム帯域幅の２つのエッジにおいて形成され得、設定可能なサイズを有し得る。制御セクション内のリソースブロックは、制御情報の送信のためにＵＥに割り当てられ得る。データセクションは、制御セクションに含まれていないすべてのリソースブロックを含み得る。ＵＬフレーム構造は、隣接サブキャリアを含むデータセクション隣接するサブキャリアを生じ、それは、データセクション内の隣接するサブキャリアのすべてを単一のＵＥに割り当てるのを可能にし得る。
【００２３】
[0039]ＵＥは、ｅＮＢに制御情報を送信するために制御セクション内のリソースブロック４１０ａ、４１０ｂを割り当てられ得る。ＵＥは、ｅＮＢにデータを送信するためにデータセクション内のリソースブロック４２０ａ、４２０ｂを割り当てられ得る。ＵＥは、制御セクション内の割り当てられたリソースブロック上の物理ＵＬ制御チャネル（ＰＵＣＣＨ）内で制御情報を送信し得る。ＵＥは、データセクション内の割り当てられたリソースブロック上の物理ＵＬ共有チャネル（ＰＵＳＣＨ）内でデータのみまたはデータと制御情報の両方を送信し得る。ＵＬ送信は、サブフレームの両方のスロットにわたり得、周波数間でホップし得る。
【００２４】
[0040]初期システムアクセスを実行し、物理ランダムアクセスチャネル（ＰＲＡＣＨ）４３０内でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を専有する。開始周波数は、ネットワークによって指定される。すなわち、ランダムアクセスプリアンブルの送信は、ある時間リソースおよび周波数リソースに制限される。周波数ホッピングは、ＰＲＡＣＨには存在しない。ＰＲＡＣＨ試行は、単一のサブフレーム（１ｍｓ）中でまたは総数の隣接するサブフレームのシーケンス中で搬送され、ＵＥは、フレーム（１０ｍｓ）ごとに単一のＰＲＡＣＨ試行のみを行うことができる。
【００２５】
[0041]セルラーネットワークにおいて、モバイルデバイスがセルからセルに移動し、セル選択／再選択およびハンドオーバーを実行するとき、近隣セルの信号強度／品質を測定しなければならない。このタイプのハンドオーバーでは、ＵＥは、近隣セルを測定することと、ネットワークに測定値を報告することとによってハンドオーバー決定を支援し、それは、タイミングおよびターゲットセルを決定する。測定するパラメータおよび報告するためのしきい値は、ネットワークによって決定される。セル探索としても知られる、セル測定は、複雑であり、計算的に高価である。受信信号と送信信号の既知のレプリカとの間の相関関係を計算することを備えるので、電力と時間をさらに消費する。モビリティのためにＵＥによって実行される測定は、周波数内測定、レイヤ間（階層的セル構造配備の場合）、周波数間測定、またはＲＡＴ間測定として分類される。測定量および報告イベントは、各測定タイプのために別々に考慮される。測定コマンドは、測定を開始すること、変更すること、または停止することをＵＥに命令するために、Ｅ−ＵＴＲＡＮによって使用される。ＲＲＣ＿ＩＤＬＥ状態では、ＵＥは、セル再選択のために定義され、Ｅ−ＵＴＲＡＮによってブロードキャストされる測定パラメータに従う。ＲＲＣ接続状態では、ＵＥは、ｅＮＢから指示された無線リソースコントローラ（ＲＲＣ）によって指定されるＭＥＡＳＵＲＥＭＥＮＴ＿ＣＯＮＴＲＯＬのような、測定構成に従う。
【００２６】
[0042]測定は、ＵＥが該当する測定を実行するために送信／受信ギャップを必要とするかどうかに依存してギャップ支援（ｇａｐ  ａｓｓｉｔｅｄ）または非ギャップ支援として分類される。非ギャップ支援測定は、測定が実行されるのを可能にするために送信／受信ギャップを要求しないセル上での測定である。ギャップ支援測定は、測定が実行されるのを可能にするために送信／受信ギャップを要求するセル上の測定である。ギャップパターンは、ＲＲＣメッセージを使用してｅＮＢによって構成され、アクティベートされる。現在の３ＧＰＰ規格により、ＵＥは、測定ギャップなしに周波数間近隣物（セル）測定を行うことができるとは仮定すべきではない。これは、以下のシナリオ、（１）異なるキャリア周波数、現在のセルの帯域幅よりも小さいターゲットセルの帯域幅および現在のセルの帯域幅内のターゲットセルの帯域幅、（２）異なるキャリア周波数、現在のセルの帯域幅よりも大きいターゲットセルの帯域幅およびターゲットセルの帯域幅内の現在のセルの帯域幅、（３）異なるキャリア周波数および重複しない帯域幅を求める。測定ギャップは、モビリティサポートのためにギャップ支援測定を実行する必要があるＵＥのためにｅＮＢによって提供される一方で、測定はまた、不連続受信（ＤＲＸ）、不連続送信（ＤＴＸ）、またはパケットスケジューリングによって提供されるダウンリンク／アップリンクアイドル期間中にＵＥによって実行され得る。
【００２７】
[0043]ＵＥが任意のセル状態にとどまっているとき、ＵＥは、測定制御メッセージ内で示されたまたはサービングセルのシステム情報としてブロードキャストされた周波数間またはＲＡＴ間セルからの品質インジケータを含む信号を受信し測定するように試みる。これらの信号および品質インジケータを受信し測定するために、ＵＥは、示された周波数間およびＲＡＴ間セルを検出し、同期化し、および／またはモニタする。ＵＥ測定アクティビティはまた、ある条件が満たされた場合、ＵＥがその測定アクティビティを制限するのを可能にする測定規則によって制御される。３ＧＰＰ規格により、ＵＥは、キャリア周波数情報がサービングセルによって提供される場合に新しい周波数間セルを識別し、識別された周波数間の信号強度測定を実行することができるものとする。これは、Ｅ−ＵＴＲＡ技術およびＵＴＲＡ技術の両方に適用する。Ｅ−ＵＴＲＡの場合、ＵＥは、Ｅ−ＵＴＲＡキャリアごとに少なくとも４個の周波数間識別されたセルのＲＳＲＰおよびＲＳＲＱ測定値を測定するように要求される。少なくとも３個までのＥ−ＵＴＲＡキャリアをモニタするＵＥ上での要求がさらにある。これは、合計で、Ｅ−ＵＴＲＡ  ＵＥが少なくとも１２個の周波数間セルを測定することができるものとすることを意味する。同様に、ＵＴＲＡ  ＵＥは、最大で２個の追加のキャリア上のセルを含む３２個の周波数間セルをモニタするように要求される。ＲＳＲＰおよびＲＳＲＱは、ＵＭＴＳ  ＣＰＩＣＨ  ＥｃｈｏおよびＣＰＩＣＨ  ＲＳＣＰ測定にそれぞれ類似する。仕様は、これらの測定がどのような頻度で実行されるべきであるかの制約をつける。
【００２８】
[0044]例えば、ＵＴＲＡＮおよびＧＥＲＡＮのためのＲＡＴ間測定（ＵＥは、ＬＴＥセルによってサービスが提供され、ＵＭＴＳセル上で測定を実行するように要求される）、または、例えば、Ｅ−ＵＴＲＡＮのための周波数間測定（ＵＥは、ＬＴＥセルによってサービスが提供され、ＬＴＥセル上で測定を実行するように要求される）実行するＬＴＥ準拠ＵＥは、離調する（ｔｕｎｅ  ａｗａｙ）ように要求される。同様に、ＲＡＴ間セル測定（ＵＥは、ＵＭＴＳセルによってサービスが提供され、ＬＴＥセル上で測定を実行するように要求される）、または周波数間測定（ＵＥは、ＵＭＴＳセルによってサービスが提供され、ＬＴＥセル上で測定を実行するように要求される）を実行するＵＭＴＳ準拠ＵＥは、ハンドオーバープロセスをサポートするために測定を行う必要がある。測定を実行することは、測定ギャップの割り当ておよびＵＥが圧縮モードに入って離調することを要求する。いずれの場合も、ＵＥによる離調は、サービス品質および有効なスループットに影響を及ぼす通信ギャップを作り出す。
【００２９】
[0045]測定を実行するために、ＵＥは、測定制御メッセージ内で示されたまたはサービングセルのシステム情報としてブロードキャストされた周波数間またはＲＡＴ間セルからの品質インジケータを含む信号を受信し測定する必要がある。そのような受信および測定は、示された周波数間セルおよびＲＡＴ間セルを検出し、同期化し、および／またはモニタすることを含む。セルを検出し、同期化し、およびモニタすることのこの適切に定義されたマルチステッププロセスは、時間領域または周波数領域中で行うことができる。このタイプの処理は、リアルタイムまたはオフラインにおいて実行することができる。オフラインモードでは、データは、並行してキャプチャされ、格納され、処理される。
【００３０】
[0046]上記のように、ＵＭＴＳネットワークでは、ＵＥは、受信信号強度インジケータ（ＲＳＳＩ）、共通パイロットチャネル（ＣＰＩＣＨ）受信信号コード電力（ＲＳＣＰ）、およびＣＰＩＣＨ  Ｅｃ／Ｎｏを測定する。ＬＴＥネットワークでは、ＵＥは、セルから受信した基準信号（ＲＳ）に基づいてダウンリンク無線チャネル測定を周期的に実行する。ＬＴＥにおけるＲＳは、ＷｉＭＡＸにおけるパイロットに類似する。ＵＥは、ＲＳ上の２つのパラメータ：基準信号受信電力（ＲＳＲＰ）および基準信号受信品質（ＲＳＲＱ）、を測定する。
【００３１】
[0047]ＲＳＲＰは、ＲＳＳＩタイプの測定である。それは、ある周波数帯域幅内のセル専用基準信号を搬送するリソース要素にわたる平均受信電力を測定する。ＲＳＲＱは、Ｃ／Ｉタイプの測定であり、受信された基準信号の品質を示す。ＲＳＲＱは、（Ｎ＊ＲＳＲＰ）／（Ｅ−ＵＴＲＡキャリアＲＳＳＩ）として定義され、ここで、Ｎは、分子および分母が同じ周波数帯域幅にわたって測定されるのを確実にする。キャリアＲＳＳＩは、Ｎ個のリソースブロックにわたる測定帯域幅内のアンテナポート０のための基準シンボルを含んでいるＯＦＤＭシンボル（すなわち、スロットにおけるＯＦＤＭシンボル０および４）のみにおいて観測された平均総受信電力を測定する。
【００３２】
[0048]キャリアＲＳＳＩの総受信電力は、同一チャネルサービングセルおよび非サービングセル、隣接チャネル干渉、熱雑音、等からの電力を含む。ＲＳＲＰは、ＲＲＣ＿ＩＤＬＥモードおよびＲＲＣ＿ＣＯＮＮＥＣＴＥＤモードの両方において適用可能であり、ＲＳＲＱは、ＲＲＣ＿ＣＯＮＮＥＣＴＥＤモードにおいてのみ適用可能である。ＲＳＲＰは、アイドルモードにおけるセル選択およびセル再選択のプロシージャ内で使用される。ＲＳＲＰおよび／またはＲＳＲＱは、ハンドオーバープロシージャ内で使用される。それは、特定の実装である。
【００３３】
[0049]ＵＥは、サービングセルからおよび隣接セルから受信されたＲＳに基づいてＲＳＲＰおよびＲＳＲＱの周期的な測定を行う。ＲＳＲＰ決定のために、セル専用基準信号Ｒｏが使用される。Ｒ１が利用可能であるとＵＥが信頼できるように検出する場合、ＲＳＲＰを決定するために、Ｒｏに加えてＲ１を使用し得る。
【００３４】
[0050]図５は、チャネル推定、ＣＱＩ測定、およびセル探索／獲得のためのダウンリンクＲＳ構造５００の例示である。基準シンボル（Ｒ）は、すべてのサブフレームのうちの第１のＯＦＤＭシンボル（第１のＲ）５０２および第３乃至最後のＯＦＤＭシンボル（第２のＲ）５０４内に位置される。
【００３５】
[0051]ＬＴＥ準拠ＵＥには、異なる周波数／帯域内で別のＬＴＥネットワークにハンドオーバー（周波数間ハンドオーバー）または非ＬＴＥネットワーク、例えば、ＵＭＴＳネットワークにハンドオーバー（ＲＡＴ間ハンドオーバー）するように要求され得る。ＬＴＥ準拠ＵＥは、ハンドオーバープロセスをサポートするために、異なる周波数／帯域内のＬＴＥおよび非ＬＴＥネットワークにわたって測定を行う必要がある。上記のように、ハンドオーバー測定を実行するために、ＬＴＥ準拠ＵＥは、測定ギャップの割り当てを要求し得る。測定ギャップは、ＵＥが異なる無線アクセス技術（ＲＡＴ）送信または異なる周波数／帯域上で測定プロシージャを実行するために自由であるときの時間的間隔が割り当てられる。測定ギャップの間、サービング基地局（ｅＮＢ）とＵＥとの間でデータがなんら送信されない。ＬＴＥ準拠ＵＥが測定ギャップを使用せずに同じ周波数内でセルを測定するのが望ましい。
【００３６】
[0052]同様に、ＵＭＴＳ準拠ＵＥは、異なる周波数／帯域内で別のＵＭＴＳネットワークにハンドオーバー（周波数間ハンドオーバー）、または非ＵＭＴＳネットワーク、例えば、ＬＴＥネットワークにハンドオーバー（ＲＡＴ間ハンドオーバー）するように要求され得る。ＵＭＴＳ準拠ＵＥは、圧縮モードにおいて測定ギャップを使用せずに同じ周波数内でセルを測定することができる。
【００３７】
[0053]図６は、従来のハンドオーバープロセスの測定フェーズの間に使用されるメッセージを例示した図６００である。プロセスでは、ソースｅＮＢ６０２は、ＵＥ６０６に構成メッセージ６０４を送る。構成メッセージ６０４は、特定の測定を報告する方法をＵＥに伝える。構成メッセージ６０４は、動作のＤＲＸモードを仮定した場合に測定報告ギャップ（時間）間隔を定義する、ギャップパターンパラメータが含まれる。これらの測定ギャップ間隔の間、ＵＥ６０６は、構成メッセージ６０４において要求される測定を実行するためにソースｅＮＢ６０２と通信するのを一時的に停止する。要求された測定値を取得した後、ＵＥ６０６は、ソースｅＮＢ６０２に測定報告メッセージ６０８を送る。ソースｅＮＢ６０２は、ハンドオーバー（ＨＯ）決定６１０を行うために、測定報告メッセージ６０８内の情報を使用する。
【００３８】
[0054]図７は、ＵＥとそれのサービングセルとの間の通信ギャップを回避するハンドオーバープロセスの測定フェーズの実装を例示した図７００である。この実装では、ＵＥの第２の無線が測定を実施するために使用され、それにより、図６において示されるようにギャップパターンの使用を除去する。ＵＥの第１の無線は、これらの測定を行うようにＵＥの第２の無線を一時的に構成する。これは、モバイルデバイスが異なるネットワーク上で作動するように設計された複数の無線を有するので実行可能である。例えば、Ｅ−ＵＴＲＡＮ無線およびＷＣＤＭＡ（登録商標）無線は、ワイヤレスワイドエリアネットワーク（ＷＷＡＮ）で作動するように設計される一方、８０２．１１無線は、ワイヤレスローカルエリアネットワーク（ＷＬＡＮ）で作動するように設計される。これらのＷＬＡＮ無線は、これらの通常の動作の一部としてＦＦＴエンジンを実装する。ＦＦＴエンジンは、ＷＷＡＮネットワークのダウンリンク上で測定を実行するために使用することができ、従って、測定ギャップを持つワイヤレスデバイスを構成する必要性をなくす。
【００３９】
[0055]ＵＥ７０２は、近隣セル７１０内の第２のｅＮＢ７０８に隣接するサービングセル７０６内の第１のｅＮＢ７０４と通信中であることが示される。ＵＥ７０２、７０２’は、第１の無線技術、例えば、ＬＴＥまたはＵＭＴＳのようなワイヤレスワイドエリアネットワーク（ＷＷＡＮ）を実装する無線技術、に基づく第１の無線７１２を含む。ＵＥ７０２、７０２’は、第１の無線技術と異なる第２の無線技術、例えば、Ｗｉ−Ｆｉのようなワイヤレスローカルエリアネットワーク（ＷＬＡＮ）を実装する無線技術、に基づく第２の無線７１４も含む。しかしながら、第２の無線７１４は、異なる周波数上で動作する近隣セルから、第２の無線技術と異なる無線技術に基づいて送信された信号を受信するように構成されまたは構成可能である。
【００４０】
[0056]例えば、第２の無線のＦＦＴエンジンは、ＷＷＡＮネットワークのダウンリンク上で測定を実行するように構成されることができる。従って、ＬＴＥ技術に基づいて送信された信号を受信するように、（ＯＦＤＭに基づく無線である）Ｗｉ−Ｆｉのような、ＷＬＡＮ無線を再構成することが可能である。従って、第２の無線７１４は、上記のＥ−ＵＴＲＡＮおよびハンドオーバー測定を実行し得る一方、第１の無線７１２は、その現在のキャリア周波数にとどまり、サービングセル内で通信し続ける。この同時に起こる、動作のデュアル無線モードでは、サービングセルとの第１の無線の通信が遮断されないので、望ましくない通信ギャップが回避される。
【００４１】
[0057]この実装では、ＵＥ７０２の第１の無線７１２は、サービングセル７０６のｅＮＢ７０４からコマンド７１６、７１６’を受信する。第１の無線７１２は、近隣セル７１０内の第２のｅＮＢ７０８によって送信された信号７１８、７１８’を受信し、受信された信号７１８、７１８’から品質インジケータを抽出するように第２の無線７１４を構成する。この動作モードは、第１の無線７１２と第２の無線７１４との間での密接な協働を要求する。この目的のために、第１の無線７１２および第２の無線７１４は、無線の並行の、すなわち、同時の動作、および必要に応じて第２の無線の構成を可能にするために互いに通信するように構成される。
【００４２】
[0058]図８は、ＵＥの第１の無線８０２と第２の無線８０４との間での通信を例示した図８００である。サービングセルと通信中の第１の無線８０２が近隣セルの品質測定を実行するようにＵＥに命令するコマンドを、サービングセルのＥ−ＵＴＲＡＮから受信したとき、第１の無線８０２は、第２の無線８０４に構成コマンド８０６を出力し、それは、そのプライマリ無線技術と異なる無線技術に、第２の無線の再構成を開始する。構成コマンドは、第２の無線８０４が近隣セルからの品質インジケータを含む信号を受信し測定するのを可能にする情報を第２の無線に提供する。コマンドは、ＦＦＴポイント数と、サブキャリア間の間隔と、サンプリング周波数と、中心周波数と、帯域幅と、を含むが、これらに限定されない。
【００４３】
[0059]第１の無線８０２は、第２の無線８０４に測定要求コマンド８０８も出力する。要求コマンド８０８は、どの測定値を取得するかを第２の無線８０４に伝える。第２の無線８０４は、測定要求メッセージ内で示された周波数間またはＲＡＴ間セルからの品質インジケータを含む信号を受信および測定する。そのような受信および測定は、示された周波数間およびＲＡＴ間セルを検出すること、同期化すること、および／またはモニタすることを含む。検出、同期化、およびモニタは、周波数領域または時間領域のいずれか内で行い得る。処理はまた、リアルタイムまたはオフラインで実行されることができる。オフラインモードでは、データがキャプチャされ、格納され、その後処理される。
【００４４】
[0060]第２の無線８０４によって測定値が取得されたとき、第２の無線は、第１の無線８０２に応答８１０（例えば、データ測定値、取得されたデータ、処理されたデータ、等）を出力する。特定の実施形態では、応答メッセージは、物理セルＩＤと、測定タイプと、測定ＩＤと、測定オブジェクトＩＤと、報告構成ＩＤと、測定報告とを含むがそれらに限定されない。
【００４５】
[0061]その後、サービングセルと通信中の第１の無線８０２は、近隣セルの品質測定を停止するようにＵＥに命令するコマンドをサービングセルのＥ−ＵＴＲＡＮから受信し得る。この場合、第１の無線８０２は、別の構成コマンド８０６を送ることによって元のそのプライマリ無線技術へと、第２の無線８０４の再構成を開始する。
【００４６】
[0062]図９は、ワイヤレス通信の方法のフローチャート９００である。方法は、図７に関して上述されるように、第１の無線技術に基づく第１の無線および第１の無線技術と異なる第２の無線技術に基づく第２の無線を有するＵＥによって実行され得る。ステップ９０２で、ＵＥの第１の無線は、例えば、サービングセルから第１の無線技術に基づいて送信された信号を受信することによって通信する。第１の無線技術は、ＷＷＡＮ技術、例えば、ＬＴＥまたはＵＭＴＳ、であり得る。
【００４７】
[0063]ステップ９０４で、ＵＥの第１の無線は、近隣セルのための品質インジケータを取得するために近隣セルの測定を実行するコマンドをサービングセルから受信する。ＬＴＥベースの近隣セルの場合、品質インジケータは、例えば、ＲＳＲＰ、ＲＳＲＱ、および信号対干渉雑音比（ＳＩＮＲ）のうちの１つまたは複数を含み得る。ＵＭＴＳベースの近隣セルの場合、品質インジケータは、例えば、ＲＳＳＩ、ＣＰＩＣＨ−ＲＳＣＰ、およびＣＰＩＣＨ  Ｅｃ／Ｎｏのうちの１つまたは複数を含み得る。
【００４８】
[0064]ステップ９０６で、ＵＥの第１の無線は、第２の無線技術と異なる無線技術に基づいて送信された信号を受信するように第２の無線技術に基づく第２の無線を構成する。第２の無線技術は、ＷＬＡＮ技術、例えば、ＷｉＦｉ、であり得る。第２の無線技術と異なる無線技術は、第１の無線に関連する同じ無線技術であり得る、または、第１および第２の無線技術の両方と異なる第３の無線技術であり得る。例えば、第１の無線技術がＬＴＥであり、第２の無線技術がＷｉＦｉである場合、第２の無線は、周波数間測定目的のためにＬＴＥベースの無線技術により送信された信号を受信するように再構成すること、または、ＲＡＴ間測定目的のためにＵＭＴＳにしたがって送信された信号を受信するように再構成され得る。第１の無線技術がＵＭＴＳであり、第２の無線技術がＷｉＦｉである場合、第２の無線は、ＲＡＴ間測定目的のためにＬＴＥベースの無線技術により送信された信号を受信するように再構成すること、または、周波数間測定目的のためにＵＭＴＳにしたがって送信された信号を受信するように再構成され得る。上述されるように、第２の無線の再構成は、第２の無線に第１の無線によって送られる構成コマンドを通じて行われる。
【００４９】
[0065]ステップ９０８で、ＵＥの第１の無線は、測定を実行するように第２の無線に要求する。第２の無線の再構成が測定を実行する、第２の無線のための要求より前であると本明細書で記載されているが、これらのステップは、いずれの順序でもまたは同時に実行され得ることに留意されたい。換言すると、第２の無線を測定する要求および構成は、いずれの順序でも生じるまたは基本的に同時に生じるとして考慮され得る。
【００５０】
[0066]ステップ９１０で、ＵＥの第２の無線は、第２の無線において近隣セルから受信された信号の品質インジケータを測定する。この信号、例えば、基準信号（ＲＳ）、は、第２の無線技術と異なる無線技術に基づいて送信される。測定することは、近隣セルから第２の無線によって受信された信号を検出することおよび同期化することと、ＲＳＲＰ、ＲＳＲＱ、または（ＬＴＥのための）ＳＩＮＲまたはＲＳＳＩ、（ＵＭＴＳのための）ＣＰＩＣＨ−ＲＳＣＰまたはＣＰＩＣＨ  Ｅｃ／Ｎｏのような適切な品質インジケータを、それから外挿することとを含む。検出および同期化は、周波数領域または時間領域のいずれでも行われ得る。処理はまた、リアルタイムまたはオフラインで実行されることができる。オフラインモードでは、データがキャプチャされ、格納され、その後に処理される。
【００５１】
[0067]ステップ９１２で、ＵＥの第２の無線は、第１の無線に応答メッセージを送ることによって第１の無線に品質インジケータを報告する。図１０を参照して上述されるように、応答メッセージは、物理セルＩＤと、測定タイプと、測定ＩＤと、測定オブジェクトＩＤと、報告構成ＩＤと、測定報告とを含むがこれらに限定されない。
【００５２】
[0068]最後に、ステップ９１４で、ＵＥの第１の無線は、第１の無線技術（ＵＭＴＳまたはＬＴＥ）に基づいて第１の無線を使用してサービングセル内のｅＮＢに品質インジケータを送信する。ｅＮＢは、ハンドオーバーが生じるべきかどうかを決定するために品質インジケータを使用する。
【００５３】
[0069]図１０は、例示的な装置１００２内の異なるモジュール／手段／コンポーネント間のデータフローを例示した概念的なデータフロー図１０００である。装置は、ＵＥであり得る。装置１００２は、第１の無線技術に基づく第１の無線モジュール１００４と、第１の無線技術と異なる第２の無線技術に基づく第２の無線モジュール１００６とを含む。第１の無線モジュール１００４は、図９を参照して上述される測定動作を実行するコマンドを受信する受信モジュール１００８を含む。コマンドは、装置１００２のサービングセル内の装置１０２２、例えば、ｅＮＢ、から送信された信号１０２０を通じて受信され、第１の無線技術に基づいて第１の無線を使用して受信される。
【００５４】
[0070]第１の無線モジュール１００４はまた、要求モジュール１０１０と、構成モジュール１０１２とを含む。要求モジュール１０１０は、測定を実行するように第２の無線１００６に要求し、構成モジュール１００８は、第２の無線技術と異なる無線技術に基づいて送信された信号を受信するように第２の無線モジュール１００６を構成する。
【００５５】
[0071]第２の無線モジュール１００６は、第２の無線モジュールで受信された信号１０２４の品質インジケータを測定する測定モジュール１０１４を含む。信号１０２４は、近隣セル内の装置１０２６から送信され、第２の無線技術と異なる無線技術に基づく。第２の無線モジュール１００６はまた、第１の無線１００４に品質インジケータを報告する報告モジュール１０１６を含む。第１の無線モジュール１００４は、サービングセル内の装置１０２２に品質インジケータを送信する送信モジュール１０１８をさらに含む。品質インジケータは、第１の無線技術に基づいて第１の無線を使用して信号１０２８によって送信される。第１の無線モジュール１００４のモジュール１００８、１０１０、１０１２、１０１８のうちの１つまたは複数は、第１の無線技術に基づく第１の無線を使用する通信を可能にする通信モジュールとして機能する。
【００５６】
[0072]  装置１００２は、図９の上記のフローチャート内のアルゴリズムのステップのうちの各々を実行する追加のモジュールを含み得る。従って、図９の上記のフローチャート内の各ステップは、モジュールによって実行され得、装置は、それらのモジュールのうちの１つまたは複数を含み得る。モジュールは、明確に、定められたプロセス／アルゴリズムを実施するように構成される、定められたプロセス／アルゴリズムを実行するように構成されるプロセッサによって実装される、プロセッサによる実装のためにコンピュータ可読媒体内に記憶される、またはこれらのある組み合わせの１つまたは複数のハードウェアコンポーネントであり得る。
【００５７】
[0073]図１１は、処理システム１１１４を採用する装置１００２’のためのハードウェア実装の例を示す図１１００である。処理システム１１１１４は、概してバス１１２４によって描写されるバスアーキテクチャで実装され得る。バス１１２４は、処理システム１１１４の特定のアプリケーションおよび全体的な設計制約に依存して任意の数の相互接続するバスおよびブリッジを含み得る。バス１１２４は、プロセッサ１１０４、モジュール１００４、１００６、１００８、１０１０、１０１２、１０１４、１０１６、１０１８、およびコンピュータ可読媒体１１０６によって描写される１つまたは複数のプロセッサおよび／またはハードウェアモジュールを含む様々な回路に結合する。バス１１２４はまた、当業者において周知であり、従ってこれ以上説明されない、タイミングソース、周辺機器、電圧レギュレータ、および電力管理回路のような、他の様々な回路にリンクし得る。
【００５８】
[0074]処理システム１１１４は、トランシーバ１１１０に結合され得る。トランシーバ１１１０は、１つまたは複数のアンテナ１１２０に結合される。トランシーバ１１１０は、送信媒体をわたって様々なその他の装置と通信するための手段を提供する。処理システム１１１４は、コンピュータ可読媒体１１０６に結合されたプロセッサ１１０４を含む。プロセッサ１１０４は、コンピュータ可読媒体１１０６上記に記憶されたソフトウェアの実行を含む一般的な処理を担う。ソフトウェアは、プロセッサ１１０４によって実行されると、処理システム１１１４に、任意の特定の装置のために上述される様々な機能を実行させる。コンピュータ可読媒体１１０６はまた、ソフトウェアを実行するとき、プロセッサ１１０４によって処理されるデータを記憶するために使用され得る。処理システムは、モジュール１００４、１００６、１００８、１０１０、１０１２、１０１４、１０１６、１０１８のうちの少なくとも１つをさらに含む。モジュールは、プロセッサ１１０４中で実行され、コンピュータ可読媒体１１０６に常駐する／記憶された、ソフトウェアモジュール、プロセッサ１１０４に結合された１つまたは複数のハードウェアモジュール、またはそれらのある組み合わせであり得る。処理システム１１１４は、ＵＥ６５０のコンポーネントであり得、メモリ６６０および／またはＴＸプロセッサ６６８、ＲＸプロセッサ６５６、およびコントローラ／プロセッサ６５９のうちの少なくとも１つを含み得る。
【００５９】
[0075]一構成では、ワイヤレス通信のための装置１００２／１００２’は、第１の無線技術に基づいて第１の無線を使用して通信するための手段と、第２の無線技術と異なる無線技術に基づいて送信された信号を受信するために、第１の無線技術と異なる第２の無線技術に基づいて第２の無線を構成するための手段と、第２の無線で受信された信号の品質インジケータを測定するための手段、信号は、第２の無線技術と異なる無線技術に基づいて送信される、とを含む。ワイヤレス通信のための装置１００２／１００２’は、測定を実行するコマンドを受信するための手段と、測定を実行するように第２の無線に要求するための手段と、第２の無線によって第１の無線に品質インジケータを報告するための手段と、第１の無線を使用してサービングセルに品質インジケータを送信するための手段とをさらに含む。
【００６０】
[0076]上記の手段は、上記の手段によって列挙される機能を実行するように構成された装置１００２の上記のモジュールおよび／または装置１００２’の処理システム１１１４のうちの１つまたは複数であり得る。説明されるように、処理システム１１１４は、ＴＸプロセッサ６６８と、ＲＸプロセッサ６５６と、コントローラ／プロセッサ６５９とを含み得る。従って、一構成では、上記の手段は、上記の手段によって列挙される機能を実行するように構成されたＴＸプロセッサ６６８、ＲＸプロセッサ６５６、およびコントローラ／プロセッサ６５９であり得る。
【００６１】
[0077]様々な実施形態では、第１の無線（例えば、図７、図８、図１０における７１２、８０２、１００４）および第２の無線（例えば、図７、図８、図１０における７１４、８０４、１００６）を有するモバイルデバイス（例えば、図６、図７、図１０、図１１における６０６、７０２、７０２’、１００２、１００２’）、それはユーザ機器（ＵＥ）、装置、等とも呼ばれる、では、第２の無線は、例えば、図１２の方法Ｂ１２００によって示されるように、２つの無線の間の連繋を介して第１の無線動作に対して第１の無線を支援し得る。特に、第１の無線および第２の無線は、様々な第１の無線動作において第１の無線を支援するために協働し得る。第１の無線技術のために第２の無線を構成することによって、第２の無線は、第１の無線信号の測定、推定、データ獲得、検出、および復号を行うことを含む第１の無線動作を実行し得る。第１の無線動作は、近隣セル周波数内、周波数間、ＲＡＴ間測定と、複数加入者インデックスモジュール（ＳＩＭ）ページモニタリングおよびページ／データ処理と、より高次のダイバーシティのデータ獲得および処理と、干渉回避、連繋および軽減と、システム情報検出および復号と、基準信号時間差（ＲＳＴＤ）測定と、スモールセル識別のためのビーコン検出と、ドライブテストの最小化（ＭＤＴ）の測定と、速度推定測定とを含むことができる（が、それらに限定されない）。結果として得られる利益の一部は、ＵＥスループットおよびシステムアグリゲートスループットを向上させること、ＵＥ  ＱｏＳ（例えば、音声品質）を向上させること、モビリティ性能を向上させること（例えば、ハンドオーバー成功率の上昇）、複雑なネットワーク管理の必要性を低減させるまたはなくすこと、複数のＳＩＭモバイルデバイス上での同時のページおよびデータ受信を可能にすること、等を含むことができる。
【００６２】
[0078]図１乃至１２に関連して、ブロックＢ１２１０で、第１の無線を支援するための第２の無線の利用可能性が決定され得る。例えば、第１の無線は、第２の無線の利用可能性のための要求を送り得、第２の無線は、第１の無線にその利用可能性の応答を提供し得る。他の実施形態では、第２の無線は、第１の無線がそのような要求することなしに第２の無線の利用可能性を第１の無線に通知することができる。
【００６３】
[0079]ブロックＢ１２２０で、第２の無線は、第１の無線動作で第１の無線を支援する。特に、第２の無線は、第１の無線動作に関連する信号を受信することまたは他の方法で取得し得る。これは、モバイルデバイスに要求を提供する、ネットワークエンティティのような（例えば、図１０におけるｅＮＢ、サービングセル１０２２）、イベントトリガに基づいて生じ得る。例えば、第１の無線は、ｅＮＢからの測定要求を受信する第１の無線に応答して、測定、または同様なもののような、動作を実行するために第２の無線に情報（例えば、周波数）を提供し得る。従って、第２の無線は、提供された情報に基づいて測定を実行し得る。例えば、第２の無線は、測定値を取得するために周波数に同調し得る。
【００６４】
[0080]Ｂ１２３０で、信号が処理される。幾つかの実施形態では、測定値は、第２の無線によって処理され得る。他の実施形態では、測定値は、第１の無線の処理のために第１の無線に報告され得る。さらに他の実施形態では、測定値（またはそれらの一部分）は、第１の無線および第２の無線の両方によって処理され得る。さらなる実施形態では、処理された結果は、例えば、第１の無線および／または第２の無線によってネットワークに提供され得る。
【００６５】
[0081]幾つかの実施形態では、第２の無線は、所定のイベントにおいて第１の無線を支援する（すなわち、第２の無線が支援するために利用可能である）ように構成され得る。例えば、第２の無線は、第２の無線がスリープモードにあるとき、第２の無線がアイドルモードにあるとき、第２の無線が動作中であるとき、さらに第２の無線が第１の無線を支援するために同時動作（例えば、スペクトルスキャン）をサポートするとき、または他の所定のモードにあるとき、第１の無線を支援し得る。
【００６６】
[0082]様々な実施形態では、第２の無線は、第１の無線支援にわたる第２の無線動作を優先するように構成され得る。例えば、幾つかの実装では、第２の無線が使用中である場合、第２の無線は、第１の無線を支援しない。そのような実施形態は、ボイスオーバインターネットプロトコル（ＶＯＩＰ：Voice-over-Internet Protocol）（しかしながら、これに限定されない）のようなアプリケーションのために生じ得る。第２の無線は、一旦、第２の無線が利用可能になる（例えば、現在の動作を終了する）と、第１の無線を支援し得る。他の実施形態では、第２の無線が使用中である場合、第２の無線動作は、第１の無線を支援するために中断し得る。そのような実施形態は、データ転送（しかしながらこれに限定されない）のようなアプリケーションのために得る。第１の無線を支援した後、第２の無線は、中断された動作を継続し得る。
【００６７】
[0083]特定の実施形態において、協働する第１の無線動作は、チャネル利用時間およびＱｏＳ属性（例えば、その中で測定が行われるべきレーテンシーバジェット）を、第２の無線メディアアクセスチャネル（ＭＡＣ）に示し得る。チャネル利用時間は、第１の無線測定値プラスあるオーバーヘッドを取るための時間であり得る。第２の無線ＭＡＣは、第１の無線動作を別のフローとして取り扱い得る。第１の無線動作フローがスケジュールされるとき、第２の無線は、チャネル利用時間に設定されたネットワーク割り振りベクトル（ＮＡＶ）でそれ自身にＣＴＳ（送信可）を送ることになる。これは、第２の無線による第１の無線動作の間に他のデバイスからの第２の無線干渉がないことを保証する。一旦、第１の無線動作が完了すると、チャネルは、通常の第２の無線動作のために利用可能になる。
【００６８】
[0084]様々な実施形態では、第１の無線は、少なくとも２つのモード：（１つまたは複数の第１の無線のアンテナを持ち、それらのうちの一部が共有され得る）第１の無線がすべての第１の無線動作を行う、通常モード（または第１のモード）、および、第２の無線が少なくとも１つの第１の無線動作で第１の無線を支援する協働モード（または第２のモード）、で動作する。
【００６９】
[0085]  同様に、第２の無線は、第１の無線動作モードと一致するように構成され得る。例えば、第２の無線は、無線周波数（ＲＦ）フィルタ、自動利得制御（ＡＧＣ）ループ、クロック、および各モードに関連するＰＨＹアルゴリズムのための１つまたは複数の構成および／またはパラメータを含み得る。特定の実施形態では、第２の無線は、第２の無線が第１の無線を支援し得る各第１の無線動作のための１つまたは複数の構成および／またはパラメータを含み得る。例えば、第１の第１の無線動作（例えば、ＭＤＴ測定）で第１の無線を支援するとき、第２の無線は、第１の構成および／またはパラメータを含み得、第２の第１の無線動作（例えば、ＲＳＴＤ測定）で第１の無線を支援するとき、第２の無線は、第２の構成および／またはパラメータを含み得る。
【００７０】
[0086]幾つかの実施形態では、第１の無線のための少なくとも２つの動作のモード間で切り換えることは、チャネル状態のような、１つまたは複数のファクタに基づき得る。例えば、第１の無線とネットワークとの間のワイヤレスチャネルの性質に起因して、複数のアンテナとの通信が第１の無線で信頼できるように送られることができることを示す１よりも大きいランクをチャネルが有する場合、第１の無線動作は、第１の無線によって実行されることになる。すなわち、第１の無線は、第２の無線からの支援を要請せずに通常の動作のモードにとどまる。チャネルランクが１である場合、第１の無線動作は、第２の無線によって実行され得る（または支援され得る）。すなわち、第１の無線は、動作の連繋モードに切り換わる。
【００７１】
[0087]別の例は、高いデータレートアプリケーションが第１の無線にわたって通信されており、モバイルデバイスが劣化する信号強度に起因する（測定ギャップを持つ）周波数間測定を行う必要があるシナリオである。この場合、第１の無線は、高いデータレートアプリケーションのスループットが測定のために要求される測定ギャップによる影響を受けないのを確実にするように、そのような測定を行う際に第２の無線の支援を利用することができる。他方、低いデータレートアプリケーションが第１の無線にわたって通信されており、そのアプリケーションのスループットが影響しない場合、第１の無線は、第２からの支援を要求できず、測定ギャップを持つ周波数間測定を実行するように選択できない。
【００７２】
[0088]動作のモードの切り換えは、任意の適切な方法でネットワーク（例えば、ｅＮＢ）に通信されうる。特定の実施形態では、ＵＥ能力変化（例えば、測定ギャップの必要性）がｅＮＢに通信される。幾つかの実施形態では、切り換えは、ＵＥとｅＮＢとの間の動的な無線リソースコントローラ（ＲＲＣ）信号を介して実行され得る。幾つかの実施形態では、既存のインジケータ（例えば、ランクインジケータ（ＲＩ））が動作のモードを切り換えるために使用され得る。
【００７３】
[0089]本開示において説明されるように、様々な実施形態により、第２の無線は、近隣セル周波数間及びＲＡＴ間測定のような、第１の無線動作に対して（第１の無線を）支援するように構成され得る。従って、第１の無線（ＷＷＡＮ無線）は、ＵＥが探索し、測定が第２の無線（ＷＬＡＮ）によって少なくとも部分的に行われる間、サービングキャリアにとどまる。ＷＬＡＮ無線で行うわれる近隣セル測定は、例えば、帯域幅およびＲＳＳＩ推定、タイミング決定（同期チャネルを用いたスロットおよびフレームタイミング決定）、基準信号強度測定（例えば、ＲＳＲＰ、ＲＳＲＱ、等）、および／またはそれらと同様のものを含み得る。さらなる実施形態では、近隣セル周波数内測定が行われ得る。従って、様々な実施形態は、スループットロスおよび劣化したモビリティ性能を防止または軽減する。特に、そのような実施形態は、ＱｏＳを向上させる（例えば、スループットを増加させる）、ネットワーク性能を向上させる（例えば、システムスループットを増加させ、ネットワークシグナリングを低減させる、等）、モビリティ性能を向上させる（例えば、ハンドオーバー成功率を上昇させる）、ネットワーク管理（例えば、コスト、電力消費、等）を最低限にし得る。
【００７４】
[0090]幾つかの実施形態では、第２の無線は、第１の無線内のすべての受信チェーンが使い尽くされ、それらの測定が要求されるときの、キャリアアグリゲーションシナリオにおける周波数内、周波数間、およびＲＡＴ間測定を行う際に支援するように構成され得る。この場合、第２の無線は、近隣セル測定を行う際に支援し得る。
【００７５】
[0091]図１３Ａは、第１の無線が測定ギャップ１３１２、１３１４において測定を実行する従来技術のシステムの例１３１０を示す。そのような実施形態では、第１の無線は、測定ギャップ１３１２、１３１４においてそのキャリアから離調しなければならない。様々な実施形態では、第２の無線が第１の無線の代わりに（例えば、１３４２、１３４４で）測定を実行することによって第１の無線を支援し得るので、第１の無線は、例えば、図１３Ｂにおいて示されるように、測定を行うことから解放され得る（例えば、１３３０）。従って、第１の無線は、そのキャリアから離調する必要がない。他の実施形態などの場合、ＵＥは、ダウンタイムにおいてスケジューリングされ得、ＵＥは、アップリンク送信に対してＨＡＲＱ  ＡＣＫ／ＮＡＫを送ることができるが、測定ギャップに起因して、これらのアップリンクメッセージは、遅延し得る。これらの場合、第２の無線は、例えば、図１３Ｃにおいて示されるように、第１の無線がそうでなければ行っていたことになるよりも多い測定を（例えば、１３６２、１３６２、１３６３、１３６４、１６２５において）行うように構成され得、それによって、アップリンク送信に対してより多くのスループットを提供する。
【００７６】
[0092]幾つかの実施形態において、第２の無線は、それの処理のために第１の無線に測定値を報告する。従って、第１の無線は、ネットワーク（例えば、ｅＮＢ）に処理された測定値を報告し得る。他の実施形態では、第２の無線が測定値を処理する。第２の無線は、第１の無線および／またはネットワークに処理された測定値を提供し得る。
【００７７】
[0093]様々な実施形態では、第２の無線は、モバイルデバイス（またはＵＥ）の能力を高めるために、第１の無線動作に対して第１の無線を支援する。測定ギャップは、スケジューリングされたギャップ（ギャップ支援された測定）と、自律性ギャップ（非ギャップ支援された測定）とを含み得る。スケジューリングされたギャップは、ネットワーク（例えば、ｅＮＢ）によって構成され、それは、ギャップパターンを構成し、（例えば、ＲＲＣ専用シグナリングを介して）モバイルデバイスにギャップパターンを提供する。モバイルデバイスは、モバイルデバイスがすべてのサービングセルとの通信を一時的に中断するときに測定を実行するように自律性ギャップを生成し得る。非ギャップ支援された測定は、送信／受信ギャップを要求しないセル上での測定である。ギャップ支援された測定は、送信／受信ギャップを要求する測定である。測定が非ギャップ支援されているかまたはギャップ支援されているかは、モバイルデバイスの能力およびモバイルデバイスの現在の動作周波数に依存する。モバイルデバイスは、送信／受信ギャップにおいて特定のセル測定を実行する必要があるかどうかを決定し、スケジューラは、ギャップが必要であるかどうかを決定する。従って、例えば、（第１の無線の代わりに測定を実行することができる）第２の無線のために、モバイルデバイスは、ギャップ支援された測定（例えば、周波数間、ＲＡＴ間測定）のための測定ギャップを必要としない。従って、モバイルデバイスは、モバイルデバイスが測定ギャップを必要としないネットワークに通知するように構成され得る。
【００７８】
[0094]特定の実施形態では、測定ギャップが必要である（または必要でない）との決定は、帯域ベースごとに確立されることができる。従って、例えば、モバイルデバイスは、第１の帯域のための測定ギャップを必要とし、第２の帯域のための測定ギャップを必要としないことをネットワークに示すことができる。
【００７９】
[0095]様々な実施形態では、第２の無線は、複数の加入者アイデンティティモジュール（ＳＩＭ）ページモニタリングおよびページ／データ処理のような、第１の無線動作に対して第１の無線を支援するように構成され得る。デュアルＳＩＭデュアルスタンバイ（ＤＳ−ＤＳ）をサポートする複数のＳＩＭモバイルデバイスは、第１の無線を使用してモバイルデバイスの第１のＳＩＭカードおよび第２のＳＩＭカード上で同時にページをモニタリングし得る。しかしながら、一旦、第１のＳＩＭ上で（第１の無線を使用して）アクティブ呼を作動すると、第１の無線は、呼を遮断せずに第２のＳＩＭカード上でページをモニタリングすることができない。従って、第２のＳＩＭに関連するページ、呼、またはデータは、モバイルデバイスのユーザが第２のＳＩＭを介して交信できないので、見落とされ得る。従って、様々な実施形態では、第２の無線は、第２のＳＩＭ（および／または他のＳＩＭ）のためにページおよびデータ測定を行うことおよび／またはこの情報を処理することを行うように構成され得る。
【００８０】
[0096]特定の実施形態では、第１のＳＩＭが使用中であるとき、ページおよびデータは、（例えば、第２の無線によって収集され、ＲＦ信号またはデジタル信号レベルでの）処理のために第１の無線に報告され得る。幾つかの実施形態では、第２の無線は、ページおよびデータを処理し得る。従って、例えば、第２の無線は、第１の無線に通知し（報告し）得る。同様に、第２のＳＩＭが使用中であるとき、第２の無線は、第１のＳＩＭのためのページおよびデータに対してモニタリングし得る。他の実施形態において、第２の無線は、ページおよびデータ情報を受信し、その後、その時点でまたはその後の時点で第１の無線にページおよびデータ情報を転送するために第１の無線の代わりにネットワークと通信し得る。
【００８１】
[0097]様々な実施形態では、第２の無線は、第１の無線動作、より高次のダイバーシティのデータ獲得および処理、に対して第１の無線を支援するように構成され得る。すなわち、第２の無線は、第１の無線上で通信中の信号のためのより高次のダイバーシティを達成するために信号および処理データを獲得し得る。特に、第２の無線は、第１の無線のための追加のダイバーシティ経路を提供する信号を獲得するように構成され得る。例えば、第１の無線が２本の受信（ＲＸ）アンテナを既に含む場合、（ＲＸアンテナを介して）第２の無線は、第１の無線の２本のＲＸアンテナからの追加のダイバーシティ経路を提供するように構成され得、それによって３ダイバーシティ受信機を生成する。この第３のダイバーシティ経路が第２の無線上のアンテナを使用することによって利用可能になったので、モバイルデバイスは、さらなる処理のために３つの経路を組み合わせるかそれとも組み合されるべき最良の２つの経路を選択することができる。このより高次のダイバーシティ信号経路は、スループットおよびＵＥ  ＱｏＳにおける重大な利得につながることが可能である。従って、例えば、ダイバーシティ経路（第２の無線のアンテナ）を介して受信されたデータサンプルは、（例えば、アナログ−デジタル変換器（ＡＤＣ）の後に、またはモバイル受信機内のデジタルフロントエンドモジュール内で）ＲＦ信号レベルまたはデジタル信号レベルで第１の無線のデータ経路と組み合せられ得る。
【００８２】
[0098]特定の実施形態では、ダイバーシティは、第１の無線のアンテナと第２の無線のアンテナとの分離に起因してさらに向上させられ得る。特に、第１の無線のアンテナおよび第２の無線のアンテナは、モバイルデバイス上の有意な分離距離を有し得るので、第２の無線ダイバーシティ経路が第１の無線のアンテナからの無相関経路を測定する確率が高い。これは、チャネルにおけるダイバーシティを最大にするのに役立つ。改善は、第１の無線のアンテナ数にかかわらず可能であり、第２の無線は、別のダイバーシティ経路を常に提供することができる。
【００８３】
[0099]様々な実施形態では、第２の無線は、回避、連繋、その軽減（キャンセル）を含む干渉管理のような、第１の無線動作に対して第１の無線を支援するように構成され得る。特に、第２の無線は、信号が帯域内のキャリアに漏れ出ている帯域内の干渉物または隣接するキャリア干渉物による干渉に関する情報を取得（例えば、測定）するように構成され得る。
【００８４】
[0100]幾つかの実施形態では、第２の無線によって取得された情報は、干渉回避のために使用され得る。例えば、第２の無線によって取得された情報に基づいて、第１の無線は、第２の無線によって測定された干渉が高すぎる（例えば、所定のしきい値ドを上回る）場合、別のキャリアを選択し得る。
【００８５】
[0101]幾つかの実施形態では、第２の無線によって取得された情報は、干渉軽減または連繋のために使用され得る。例えば、第２の無線は、第１の無線によって実装された干渉キャンセル技法を用いて支援するために干渉信号に関連する取得情報を第１の無線に提供し得る。
【００８６】
[0102]取得情報は、干渉帯域幅、干渉物の数、干渉物の周波数位置、帯域幅の電力、および／またはそれらと同様のものを含み得る（が、それらに限定されない）。そのような情報は、第１の無線内のデジタルフィルタ（または他のコンポーネント）（例えば、受信機フロントエンド（ＲＸＦＥ）モジュール）のうちの一部を調節またはさもなければ構成するために使用され得る。特定の実施形態では、取得干渉情報は、信号がデジタルベースバンドで着信する前に干渉を軽減するためのアナログフィルタを構成し得る。
【００８７】
[0103]様々な実施形態では、第２の無線は、セルタイミング決定、（セルを識別すること）、ブロードキャスト獲得、Ｅ−ＵＴＲＡＮセルグローバル識別子（ＥＣＧＩ）報告のような、目的のための検出および復号を含む第１の無線動作、例えば、システム情報獲得、に対して第１の無線を支援するように構成され得る。基本的なＰＣＩセル探索要求に加えて、モバイルデバイスは、例えば、ターゲットセル（例えば、ｅＮＢ、ＨｅＮＢ、等）が近隣物との関係を自動的に確立することができるように、ＡＮＲのためのおよび／またはクローズト加入者グループ（ＣＳＧ）セルに対するインバウンドモビリティのための、サービングセルからの要求（‘ｒｅｐｏｒｔＣＧＩ’）に基づいてターゲットセルのＥＣＧＩを識別して報告するように要求され得る。従って、様々な実施形態において、第２の無線は、周波数内および周波数間Ｅ−ＣＧＩ報告で（第１の無線を）支援するように構成され得る。ＥＣＧＩ報告は、ターゲットセルを識別した後、マスタ情報ブロック（ＭＩＢ）およびシステム情報ブロックタイプ１（ＳＩＢ１）メッセージのような、ブロードキャスト信号を検出および復号し、ターゲットセルのＥＣＧＩを決定するようにモバイルデバイスに要求する。このＥＣＧＩは、その後、もとのネットワークに報告され得る。従って、幾つかの実施形態では、第２の無線は、ブロードキャスト信号を検出および復号し、ターゲットセルのＥＣＧＩを決定するように構成され得る。特定の実施形態では、第２の無線は、ネットワークにＥＣＧＩを報告し得る。他の実施形態では、第２の無線は、第１の無線にＥＣＧＩを報告し得、それは、その後、ネットワークにＥＣＧＩを報告する。第２の無線を使用することとは逆に、モバイルデバイスの第１の無線は、ＭＩＢおよびＳＩＢ１メッセージを受信するためのダウンリンク受信およびアップリンク送信の両方において自律性ギャップを作り得る。自律性ギャップが「ｒｅｐｏｒｔＣＧＩ」の目的と共に測定のために使用される場合、モバイルデバイスは、所定のしきい値以内のＥ−ＵＴＲＡセルの新しいＣＧＩを識別し得る、または、自律性ギャップが典型的にネットワークに知られていないので、第１の無線上のアプリケーションに劣化が生じることがある。
【００８８】
[0104]様々な実施形態では、第２の無線は、周波数間基準信号時間差（ＲＳＴＤ）測定のような、第１の無線動作に対して第１の無線を支援するように構成され得る。モバイルデバイスの第１の無線がサービング周波数から離調し（従って、測定ギャップを作り）、ターゲット周波数上で周波数間ＯＴＤＯＡ（観測される着信の時間差：Observed Time Difference Of Arrival）を実行する代わりに、第２の無線は、そのような測定ギャップを回避するためにＲＳＴＤ測定で第１の無線を支援し得るように構成され得る。
【００８９】
[0105]様々な実施形態では、第２の無線は、スモールセル識別のためのビーコン検出（例えば、周波数内ビーコン検出）のような、第１の無線動作に対して第１の無線を支援するように構成され得る。例えば、第２の無線は、ＣＳＧセルからのビーコンの検出、またはそれと同様のもので支援するように構成され得る。ビーコンは、モバイルデバイスがマクロセル（ｅＮＢ）の無線チャネルからスモールセル（ＨｅＮＢ）（例えば、フェムトセル、ピコセル、等）の無線チャネルに移転させるブロードキャスト信号と一緒に低電力パイロット信号を含む信号である。幾つかの実施形態では、第２の無線は、パイロット信号を検出し、ブロードキャスト信号の復号のために第１の無線に報告するように構成され得る。他の実施形態では、第２の無線は、パイロット信号およびブロードキャスト信号の両方を検出するように構成され得る。
【００９０】
[0106]様々な実施形態では、第２の無線は、ドライブテスト最小化（ＭＤＩ）測定のような、第１の無線動作に対して１の無線を支援するように構成され得る。特に、第２の無線は、ネットワークが、ＭＤＴ（記録された（logged）または即時）測定（例えば、位置測定、近隣セル測定、データ量測定、等）を実行し、元のネットワークに送るようにモバイルデバイスに命令したとき、第１の無線を支援するように構成され得る。特に、第２の無線は、第１の無線の代わりに第１の無線のネットワークによって要求されたＭＤＴ測定を実行し得る。第２の無線は、ＭＤＴ測定を処理するまたはそれの処理のために第１の無線に報告し得る。
【００９１】
[0107]様々な実施形態では、第２の無線は、例えば、周波数内、周波数間、およびＲＡＴ間シナリオを用いて、モバイルデバイスのための速度推定のような第１の無線動作に対して第１の無線を支援するように構成され得る。速度推定は、第１の無線と同様の信号を測定することによって、および信号の平均混雑率（crossing rate）または信号の位相変化率を決定することによる信号の成分における最大ドップラーを決定することによって、第２の無線によって、決定され得る。ドップラー情報は、その後、速さ／速度の推定値を決定するために使用され得る。この情報は、その後、チャネル推定および／またはモバイルデバイス内の干渉管理アルゴリズムを向上させるために第１の無線に渡されるおよび／またはモビリティ性能を最適化する（例えば、あるセルへのハンドオーバーを回避する）ためのネットワークによって使用されることができる。
【００９２】
[0108]様々な実施形態では、モバイルデバイスは、第２の無線が第１の無線動作に対して第１の無線を支援するのを可能にするために無線周波数拡張を含むように構成され得る。特定の実施形態では、モバイルデバイスは、第２の無線が第１の無線動作で支援する一方、モバイルデバイスの無線による送信を管理するように構成され得る。図１４は、第１の無線システム１４１０（例えば、図７、図８、図１０における７１２、８０２、１００４）および第２の無線システム１４６０（例えば、図７、図８、図１０における７１４、８０４、１００６）を有するモバイルデバイス１４００（例えば、図６、図７、図１０、図１１における６０６、７０２、７０２’、１００２、１００２’）の例のブロック図を例示する。第１の無線システム１４１０は、プライマリアンテナ１４１２と、ダイバーシティアンテナ１４２２とを含み得る。プライマリフロントエンドモジュール（ＦＥＭ0）１４１６は、プライマリアンテナ１４１２と第１の無線トランシーバ１４３０との間に提供され得る。ダイバーシティフロントエンドモジュール（ＦＥＭ1）１４２６は、ダイバーシティアンテナ１４２２と第１の無線トランシーバ１４３０との間に提供され得る。
【００９３】
[0109]第２の無線システム１４６０は、アンテナ１４６２を含み得る。アンテナ１４６２は、第１の無線および第２の無線のために構成され得る。例えば、アンテナ１４６２は、第１の無線（例えば、ＬＴＥ）および第２の無線（例えば、ＷｉＦｉ）のための共有アンテナであり得る。
【００９４】
[0110]第２の無線システム１４６０は、第１の第１の無線フィルタ（ＦＲＦ1）１４６６および第２の第１の無線フィルタ（ＦＲＦ2）１４６８のような、複数のフィルタを含み得る。第１の、第１の無線フィルタ１４６６は、第１の帯域（例えば、帯域４０（２３００乃至２４００ＭＨｚ））に対応し得、第２の、第１の無線フィルタ１４６８は、第１の帯域と少なくとも部分的に異なる第２の帯域（例えば、帯域３８（２５７０乃至２６２０ＭＨｚ）に対応し得る。そのようなフィルタは、第１の無線の干渉を低減させるのに役立ち得る。
【００９５】
[0111]第２の無線システム１４６０は、ＩＳＭ（工業、科学、および医療）フィルタ１４７０のような第３のフィルタ１４７０を含み得る。幾つかの実施形態では、第３のフィルタは、第１の帯域および第２の帯域のうちの１つまたは複数と少なくとも部分的に異なり得る第３の帯域（例えば、ＩＳＭ帯域（２４００乃至２４９０ＭＨｚ））に対応する。ＩＰ３（第３次インターセプトポイント）スイッチのような、第１のスイッチ１４６４は、アンテナ１４６２を介して受信された信号１４６３を受信し、フィルタ１４６６、１４６８、１４７０のうちのいずれが対応する信号１４６５ａ乃至１４６５ｃを受信するかを選択するためのアンテナ１４６２に結合され得る。ＩＳＭフィルタ１４７０は、（例えば、第１のスイッチ１４６４が第３のフィルタ１４７０を選択するとき）信号１４６５ｃに対応する、信号１４７１を提供するために第２の無線トランシーバ１４８０に結合され得る。
【００９６】
[0112]（信号１４６５ａに対応する）第１の、第１の無線フィルタ１４６６のフィルタ処理された信号１４６７は、（例えば、第１のスイッチ１４６４が第１の、第１の無線フィルタ１４６６を選択したとき）第２の無線トランシーバ１４８０に提供され得る。（信号１４６５ｂに対応する）第２の第１の無線フィルタ１４６８のフィルタ処理された信号１４６９は、（例えば、第１のスイッチ１４６４が第２の第１の無線フィルタ１４６８を選択したとき）第２の無線トランシーバ１４８０に提供され得る。特定の実施形態では、モバイルデバイス１４００は、第２の無線トランシーバ１４８０に提供するための適切にフィルタ処理された信号（１４６７または１４６９）を選択するために第１の、第１の無線フィルタ１４６６および第２の、第１の無線フィルタ１４６８の各々の出力に結合された第２のスイッチ１４７２を含み得る。
【００９７】
[0113]特定の実施形態では、モバイルデバイス１４００は、第１のスイッチ１４６４および第２のスイッチ１４７２のうちの１つまたは複数を制御するためのコントローラ１４９０（例えば、ＲＦ（ＧＣＲＦ）の一般的制御）を含み得る。従って、様々な実施形態により、モバイルデバイス１４００は、第１の無線および第２の無線を連繋するように構成され得る。例えば、そのような実施形態は、アンテナ１４６２がサンプル（信号）を受信する（例えば、測定を実行する）のと同時に（および／または同じ帯域で）第１の無線が送信するのを防止し得るおよび／またはアンテナ１４６２がサンプルを受信するのと同時に第２の無線が送信するのを防止し得る。他の実施形態では、モバイルデバイス１４００は、第１の無線および第２の無線を連繋するための適切な方法で構成され得る。
【００９８】
[0114]様々な実施形態では、モバイルデバイスは、モバイルデバイスが第１の無線動作を実行するために使用され得る第２の無線（ＷＬＡＮ無線）を含むことをネットワークに通知する情報をネットワークに提供するように構成され得る。特定の実施形態では、情報は、（例えば、第２の無線が第１の無線を支援するために利用可能であるとき）第２の無線の利用可能性を含み得る。さらなる実施形態では、情報は、どのくらいの期間第２の無線が第１の無線を支援するために利用可能かを含み得る。従って、様々な実施形態では、ネットワークは、情報（すなわち、第２の無線のスケジュール）に基づいて測定ギャップを修正し得る。例えば、ネットワークは、第２の無線が利用可能であると測定ギャップを設定せず、ネットワークは、第２の無線が利用可能でないとき（第１の無線のために）測定ギャップを要求し得る。
【００９９】
[0115]アップリンクＬＴＥ（第１の無線）チャネル上で測定ギャップを構成することの影響は、典型的には、ＬＴＥダウンリンクチャネルおよびアップリンクチャネル（例えば、ＰＤＣＣＨ（ＤＣＩ０）、ＰＵＳＣＨ、ＰＨＩＣＨ、等）のうちの幾つかの間のタイミング関係のために、ダウンリンク測定のギャップ長（例えば、６ｍｓ）よりも大きい。典型的には、それらのアップリンクチャネルを使用するためにモバイルデバイスが利用不能であることに起因するスループットの最大損失は、ダウンリンクチャネル上でのスループット損失よりも大きくなる可能性がある。第１の無線の代わりに測定を行うために第２の無線を使用することによって、モバイルデバイスが利用不能であること、従って、スループット損失、は、回避されることができる。
【０１００】
[0116]ＶＯＩＰのような、様々なアプリケーションについて、モバイルデバイスは、送信時間間隔（ＴＴＩ）バンドリングを実装し得る。ＴＴＩバンドリングは、例えば、モバイルデバイスがセルのエッジに存在する、または同様のもののときにレイテンシを低減させるために使用され得る。レイテンシを低減するために、ＴＴＩのグループ（例えば、各々が１ｍｓの４つのＴＴＩ）は、再送信が後の時間に必要であるかどうかを決定することなしに送信され得る。しかしながら、ＴＴＩは、送信が必要であるかどうかを決定することなしに送信されるため、幾つかのＴＴＩは、冗長またはそうでなければ不必要になることになる。特に、第２の無線による第１の無線の支援がない場合、例えば、本開示において説明されるように、モバイルデバイスは、測定ギャップと重複しないＴＴＩバンドルの一部しか送信することができない。従って、不必要なバンドル送信が存在し得る。従って、第２の無線が第１の無線のための測定ギャップをなくすために、第１の無線を支援するのを可能にすることによって、その全体におけるＴＴＩバンドルが送信され得る。
【０１０１】
[0117]図１５は、例示的な装置１５０２内の異なるモジュール／手段／コンポーネント間のデータフローを例示した概念的なデータフロー図１５００である。装置は、ＵＥ（モバイルデバイス）（例えば、図６、図７、図１０、図１１、図１４における６０６、７０２、７０２’、１００２、１４００）であり得る。装置１５０２は、第１の無線技術に基づく第１の無線モジュール１５０４（例えば、図７、図８、図１０、図１４における７１２、８０２、１００４、１４１０）と、第１の無線技術と異なる第２の無線技術に基づく第２の無線モジュール（例えば、図７、図８、図１０、図１４における７１４、８０４、１００６、１４６０）とを含む。第１の無線モジュール１５０４は、本開示において説明される第１の無線動作を実行するためのコマンドを受信する受信モジュール１５１０を含む。コマンドは、装置１５０２の機器１５４０（例えば、ｅＮＢ）から送信された信号１５４４を通じて受信され、第１の無線技術に基づいて第１の無線モジュール１５０４を使用して受信される。
【０１０２】
[0118]幾つかの実施形態では、第１の無線モジュール１５０４は、要求モジュール１５１２および／または構成モジュール１５１４を含み得る。要求モジュール１５１２は、第１の無線動作を実行するように第２の無線１５０６に要求する。特定の実施形態では、要求モジュール１５１２は、第２の無線モジュール１５０６の利用可能性を要求する。構成モジュール１５１４は、第２の無線技術と異なる無線技術（例えば、第１の無線技術）に基づいて送信された信号を受信するように第２の無線モジュール１５０６を構成する。
【０１０３】
[0119]第２の無線モジュール１５０６は、第２の無線モジュール１５０６で第１の無線動作の少なくとも一部分を実行する実行モジュール１５２０を含む。実行モジュール１５２０は、第１の無線動作に関する信号１５３２を受信する受信モジュール１５２２を含む。信号１５３２は、例えば、近隣セル内の機器１５３０またはそれと同様のものから送信され得、第２の無線技術と異なる無線技術（例えば、第１の無線技術）に基づく。従って、第２の無線モジュール１５０６は、第１の無線技術を使用して第１の無線動作を実行するように構成され得る。例えば、第１の無線技術がＬＴＥであり、第２の無線技術がＷｉＦｉである場合、（ＷｉＦｉ無線である）第２の無線は、ＬＴＥネットワーク上でＬＴＥ動作を実行し得る。幾つかの実施形態では、実行モジュール１５２０はまた、受信された信号１５３２を処理するための処理モジュール１５２４を含み得る。そのような実施形態では、第２の無線モジュール１５０６は、（第１の無線モジュール１５０４の代替でまたは第１の無線モジュール１５０４に加えて）受信された信号１５３２を処理し得る。
【０１０４】
[0120]第２の無線モジュール１５０６は、例えば、処理モジュール１５３０による処理のために第１の無線モジュール１５０４に受信された信号１５３２を報告する報告モジュール１５２６を含む。特定の実施形態では、第１の無線モジュール１５０４の処理モジュール１５１６は、構成モジュール１５１４によって構成され得る。幾つかの実施形態では、報告モジュール１５２６は、第１の無線モジュール１５０４に処理モジュール１５２４によって処理された信号を報告する。
【０１０５】
[0121]幾つかの実施形態では、第１の無線モジュール１５０４は、サービングセル内の機器１５４０または他のネットワークエンティティに（処理モジュール１５２４および／または処理モジュール１５１６によって）処理された信号に対応する結果を送信する送信モジュール１５１８をさらに含む。結果は、第１の無線技術に基づいて第１の無線モジュール１５０４を使用して信号１５４２によって送信される。他の実施形態では、第２の無線モジュール１５０４は、機器１５４０または他のネットワークエンティティに処理された信号に対応する結果を送信するための送信モジュール（示されていない）を含む。第１の無線モジュール１５０４のモジュール１５１０、１５１２、１５１４、１５１８のうちの１つまたは複数は、第１の無線技術に基づいて第１の無線モジュール１５０４を使用して通信を可能にする通信モジュールとして機能する。
【０１０６】
[0122]装置１５０２は、図１乃至１５に関する特徴のうちの１つまたは複数を実行する追加モジュールを含み得る。例えば、図１２のフローチャート内のアルゴリズムのステップの各々は、モジュールによって実行され得、装置は、それらのモジュールのうちの１つまたは複数を含み得る。モジュールは、明確に、規定されたプロセス／アルゴリズムを実施するように構成される、規定されたプロセス／アルゴリズムを実行するように構成されるプロセッサによって実装される、プロセッサによる実装のためにコンピュータ可読媒体内に記憶される、またはそれらのある組み合わせられた１つまたは複数のコンポーネントであり得る。
【０１０７】
[0123]開示されるプロセスにおけるステップの特定の順序又は階層は、例示的なアプローチの例であるあることが理解される。設計上の選好に基づいて、プロセスにおけるステップの特定の順序又は階層は、再配列され得る。さらに、幾つかのステップは、組み合され得るまたは省略され得る。添付の方法の請求項は、例の順序における様々なステップの要素提示するものであり、提示される特定の順序又は階層に限定されることを意味しない。
【０１０８】
[0124]前の説明は、当業者が本明細書において説明される様々な態様を実行するのを可能にするために提供される。これらの態様に対する様々な変更は、当業者にとって容易に明確になるであろう、および本明細書において定められる一般原理は、その他の態様に対して適用することができる。以上のように、請求項は、本明細書において示される態様に限定されることが意図されるものではなく、文言請求項（ｌａｎｇｕａｇｅ  ｃｌａｉｍ）に一致する限りにおいて最も広範な適用範囲が認められるべきである、ここにおいて、単数形の要素への言及は、特記がない限り“１つ及び１つのみ”を意味することは意図されておらず、むしろ“１つまたは複数”を意味する。その他の特記がない限り、表現“幾つか”は、１つまたは複数を意味する。当業者に知られているまたはのちに知られることになる、本開示全体を通じて説明される様々な態様の要素のすべての構造上及び機能上の均等物は、本明細書における引用によって明示で本明細書に組み入れられており、請求項によって包含されることが意図される。さらに、本明細書において開示されるいずれも、そのような開示が請求項において明示で記載されているかどうかにかかわらず、公衆に提供されたものではないことが意図される。いずれの請求項要素も、その要素が句「ための手段」を用いて明示で記述されていない限り、手段プラス機能（ｍｅａｎｓ  ｐｌｕｓ  ｆｕｎｃｔｉｏｎ）であるとは解釈されるべきではない。  
[0125]開示されるプロセスにおけるステップの特定の順序または階層は、例示的なアプローチ法の例であることが理解される。設計上の選好に基づき、プロセスにおけるステップの特定の順序又は階層は、本開示の適用範囲内にとどまりつつ再配置され得ることが理解される。添付される方法の請求項は、様々なステップの要素を見本の順序で提示するものであり、提示される特定の順序又は階層に限定されることは意味されない。
【０１０９】
[0126]情報および信号は、様々な異なる技術および技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、またはそれらのあらゆる組合せによって表すことができる。
【０１１０】
[0127]ここにおいて開示される実装と関係させて説明される様々な例示的な論理ブロック、モジュール、回路、及びアルゴリズムのステップは、電子ハードウェア、有形の媒体において具現化されたコンピュータソフトウェア、又は両方の組み合わせとして実装可能であることを当業者はさらに認識するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとしてまたは有形の媒体において具現化されたソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１１１】
[0128]本明細書において開示される実装と関係させて説明される様々な例示的な論理ブロック、モジュール、および回路は、本明細書において説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１１２】
[0129]本明細書において開示される実装と関係させて説明される方法又はアルゴリズムのステップは、直接ハードウェア内において、プロセッサによって実行されるソフトウェアモジュール内において、又はそれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。例示的な記憶媒体は、プロセッサが記憶媒体から情報を読み出すこと及び記憶媒体に情報を書き込むことができるような形でプロセッサに結合することができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替において、プロセッサ及び記憶媒体は、ユーザ端末内において個別コンポーネントとして常駐することができる。
【０１１３】
[0130]１つ以上の例示的な実装において、説明される機能は、ハードウェア、有形の媒体において具現化されたソフトウェアまたはファームウェア、またはそれらのあらゆる組み合わせにおいて実装することができる。ソフトウェアにおいて実装されるときには、これらの機能は、コンピュータ可読媒体において１つまたは複数の命令又はコードとして格納すること又は送信することができる。コンピュータ読み取り可能媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる利用可能な媒体であることができる。一例として、および限定することなしに、そのようなコンピュータ可読媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができおよびコンピュータによってアクセス可能なその他の媒体、を備えることができる。さらに、いずれの接続も、コンピュータ可読媒体であると適切に呼ばれる。例えば、ソフトウェアが、同軸ケーブル、光ファイバケーブル、ツイストペア、デジタル加入者ライン（ＤＳＬ）、又はワイヤレス技術、例えば、赤外線、ワイヤレス、及びマイクロ波、を用いてウェブサイト、サーバ、又はその他の遠隔ソースから送信される場合は、その同軸ケーブル、光ファイバケーブル、より対線、ＤＳＬ、またはワイヤレス技術、例えば赤外線、ワイヤレス、及びマイクロ波、は、媒体の定義の中に含まれる。本明細書において用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータ読み取り可能媒体の適用範囲内に含められるべきである。
【０１１４】
[0131]開示される実装に関する前の説明は、当業者が本開示を製造又は使用することを可能にするために提供される。これらの実装に対する様々な変更は、当業者にとって容易に明確になるであろう、および本明細書において定められる一般原理は、本開示の精神又は適用範囲を逸脱せずにその他の実装に対して適用することができる。以上のように、本開示は、本明細書において示される実装に限定されることが意図されるものではなく、本明細書において開示される原理及び新規の特徴に一致する限りにおいて最も広範な適用範囲が認められるべきである。
以下に本願の出願当初の特許請求の範囲に記載された発明を付記する。
[Ｃ１]  ワイヤレス通信方法であって、
第１の無線技術に基づいて第１の無線を使用して通信することと、
第１の無線動作に対するに対して前記第１の無線を支援するために前記第１の無線技術と異なる第２の無線技術に基づいて第２の無線を構成することと、
前記第２の無線で前記第１の無線動作の少なくとも一部分を実行することと
を備える、ワイヤレス通信方法。
[Ｃ２]  前記第１の無線技術は、ワイヤレスワイドエリアネットワーク（ＷＷＡＮ）技術であり、
前記第２の無線技術は、ワイヤレスローカルエリアネットワーク（ＷＬＡＮ）技術である、
Ｃ１に記載の方法。
[Ｃ３]  前記実行することは、
前記第２の無線で、前記第１の無線動作に関する信号を受信すること、前記信号は、前記第１の無線技術に基づいて送信される、と、
前記受信された信号を処理することと
を備える、Ｃ１に記載の方法。
[Ｃ４]  前記受信された信号は、前記第２の無線によって処理される、
Ｃ３に記載の方法。
[Ｃ５]  前記受信された信号は、前記第１の無線によって処理される、
Ｃ３に記載の方法。
[Ｃ６]  前記受信された信号は、前記第１の無線および前記第２の無線によって少なくとも部分的に処理される、
Ｃ３に記載の方法。
[Ｃ７]  前記第１の無線動作は、前記第１の無線内の信号に影響を及ぼす前記干渉の測定を備える、
Ｃ１に記載の方法。
[Ｃ８]  前記第１の無線動作は、近隣セルの周波数間測定、周波数内測定、およびＲＡＴ間測定のうちの少なくとも１つを備える、
Ｃ１に記載の方法。
[Ｃ９]  前記モバイルデバイスは、前記第１の無線に関連する少なくとも２つの加入者アイデンティティモジュール（ＳＩＭ）を備え、
前記第１の無線動作は、前記少なくとも２つのＳＩＭのうちの１つに関連するページおよびデータ獲得および処理を備える、
Ｃ１に記載の方法。
[Ｃ１０]  前記第１の無線は、少なくとも第１のアンテナを備え、
前記第２の無線は、少なくともアンテナを備え、
前記実行することは、
前記第２の無線の前記アンテナで、前記第１の無線動作に関する信号を受信すること、前記信号は、前記第１の無線技術に基づいて送信される、と、
前記第１の無線の前記第１のアンテナによって受信された信号と一緒に、ダイバーシティ信号として前記受信された信号を処理することと
を備える、Ｃ１に記載の方法。
[Ｃ１１]  前記受信された信号は、前記第１の無線によって処理される、
Ｃ１０に記載の方法。
[Ｃ１２]  前記第１の無線動作は、基準信号時間差（ＲＳＴＤ）測定である、
Ｃ１に記載の方法。
[Ｃ１３]  前記第１の無線動作は、スモールセルの識別のためのビーコン検出を備える、
Ｃ１に記載の方法。
[Ｃ１４]  前記第１の無線動作は、ドライブテストの最小化（ＭＤＴ）測定である、
Ｃ１に記載の方法。
[Ｃ１５]  前記第１の無線動作は、速度推定測定である、
Ｃ１に記載の方法。
[Ｃ１６]  前記第１の無線動作で前記第１の無線を支援するために前記第２の無線の利用可能性を決定することをさらに備え、
前記実行することは、前記第２の無線の前記利用可能性に基づいて行われる、
Ｃ１に記載の方法。
[Ｃ１７]  前記決定することは、
前記第１の無線が、前記第１の無線動作で前記第１の無線を支援するための前記第２の無線の前記利用可能性を要求することと、
前記要求することに基づいて前記第２の無線の前記利用可能性を受信することと
を備えるＣ１６に記載の方法。
[Ｃ１８]  前記決定することは、前記第１の無線動作で前記第１の無線を支援するための前記第２の無線の前記利用可能性を受信することを備える、
Ｃ１６に記載の方法。
[Ｃ１９]  前記第２の無線は、前記第２の無線がスリープモードまたはアイドルモードにあるときに利用可能であると決定される、
Ｃ１６に記載の方法。
[Ｃ２０]  前記第２の無線は、前記第２の無線が第１のタイプのタスクを実行しているときに利用可能であると決定され、前記第２の無線は、前記第２の無線が第２のタイプのタスクを実行しているときに利用可能でないと決定される、
Ｃ１６に記載の方法。
[Ｃ２１]  前記第２の無線は、前記第２の無線の前記利用可能性の前記要求に応答して前記第１のタイプのタスクを実行するのを停止するように構成される、
Ｃ２０に記載の方法。
[Ｃ２２]  前記第２の無線が利用可能でないと決定された場合、前記実行は、一旦、前記第２の無線が利用可能になると行われる、
Ｃ１６に記載の方法。
[Ｃ２３]  前記第１の無線動作は、複数の加入者アイデンティティモジュール（ＳＩＭ）ページモニタリングおよびページ／データ処理、より高次のダイバーシティデータ獲得と処理、干渉測定と管理、Ｅ−ＵＴＲＡＮセルグローバル識別子（ＥＣＧＩ）決定と報告、基準信号時間差（ＲＳＴＤ）測定、スモールセル識別のためのビーコン検出、ドライブテストの最小化（ＭＤＴ）測定、および速度推定測定のうちの少なくとも１つを備える、
Ｃ１に記載の方法。
[Ｃ２４]  ワイヤレス通信システムであって、
第１の無線技術に基づいて通信するために第１の無線を使用する第１の無線と、
第１の無線動作に対して前記第１の無線を支援するために前記第１の無線技術と異なる第２の無線技術に基づいて構成された第２の無線と
を備え、前記第２の無線は、前記第１の無線動作の少なくとも一部分を実行するように構成される、ワイヤレス通信システム。
[Ｃ２５]  少なくとも第１の無線および第２の無線を有するモバイルデバイスに関するワイヤレス通信方法であって、
前記第２の無線の利用可能性を決定することと、
前記第２の無線が、さもなければ前記第２の無線の前記利用可能性に基づいて前記第１の無線によって実行される、第１の無線動作の少なくとも一部分を実行することと
を備える、ワイヤレス通信方法。
[Ｃ２６]  ワイヤレス通信の方法であって、
第１の無線技術に基づいて第１の無線を使用して通信することと、
第１の無線動作に対して前記第１の無線を支援するために前記第１の無線技術と異なる第２の無線技術に基づいて第２の無線を構成することと、
前記第２の無線で、前記第１の無線動作に関する信号を受信すること、前記信号は、前記第１の無線技術に基づいて送信される、と、
前記受信された信号を処理することと
を備え、前記第１の無線動作は、複数の加入者アイデンティティモジュール（ＳＩＭ）ページモニタリングおよびページ／データ処理、より高次のダイバーシティデータ獲得と処理、干渉測定と管理、Ｅ−ＵＴＲＡＮセルグローバル識別子（ＥＣＧＩ）決定と報告、基準信号時間差（ＲＳＴＤ）測定、スモールセル識別のためのビーコン検出、ドライブテストの最小化（ＭＤＴ）測定、および速度推定測定のうちの少なくとも１つを備える、
ワイヤレス通信方法。
【図１】
0006469723.tif 000002
【図２】
0006469723.tif 000003
【図３】
0006469723.tif 000004
【図４】
0006469723.tif 000005
【図５】
0006469723.tif 000006
【図６】
0006469723.tif 000007
【図７】
0006469723.tif 000008
【図８】
0006469723.tif 000009
【図９】
0006469723.tif 000010
【図１０】
0006469723.tif 000011
【図１１】
0006469723.tif 000012
【図１２】
0006469723.tif 000013
【図１３Ａ】
0006469723.tif 000014
【図１３Ｂ】
0006469723.tif 000015
【図１３Ｃ】
0006469723.tif 000016
【図１４】
0006469723.tif 000017
【図１５】
0006469723.tif 000018